(57)【特許請求の範囲】
【請求項１】
単一もしくは複数の発光スポットを含む光射出領域から光を発する固体発光素子をそれぞれ含む複数の光源と、
短軸および長軸を有すると共に、前記固体発光素子側から入射した光が通過して出射する光学部材と
を備え、
前記固体発光素子は、光を発する単一または複数のチップを含み、
前記複数の光源全体として、互いに異なる２以上の波長帯の光が発せられるように、前記発光スポットが３つ以上設けられ、
前記複数の光源のうちの２以上の光源間で、同一の波長帯の光が発せられる発光スポットが設けられ、
前記複数の光源全体として、前記チップの少なくとも１つがレーザダイオードを含み、
前記複数の光源のうちの少なくとも１つの光源における前記レーザダイオードからなるチップに、発光スポットが複数設けられると共に、このレーザダイオードからなるチップの各発光スポットから発せられる光におけるファーフィールドパターン（ＦＦＰ）の向きが、前記光学部材の光路中において互いに略一致している
照明装置。
【請求項２】
前記２以上の光源のうちの少なくとも１つの光源に、前記同一の波長帯とは異なる波長帯の光が発せられる１または複数の発光スポットが更に設けられている
請求項１に記載の照明装置。
【請求項３】
前記２以上の光源からそれぞれ発せられる前記同一波長帯の光を合成する光路合成部を更に備えた
請求項１または請求項２に記載の照明装置。
【請求項４】
前記光路合成部が、偏光分離素子と位相差板アレイとを有し、
前記偏光分離素子は、前記２以上の光源から入射する前記同一波長帯の光を、Ｓ偏光成分とＰ偏光成分との進行方向が異なるように分離し、
前記位相差板アレイは、位相差の互いに異なる第１領域および第２領域を有し、
前記第１領域は、前記偏光分離素子で分離されたＳ偏光成分およびＰ偏光成分のいずれか一方の偏光成分が入射する位置に配置されており、この第１領域への入射光を、偏光方向を維持したまま透過し、
前記第２領域は、前記偏光分離素子で分離されたＳ偏光成分およびＰ偏光成分のうち前記第１領域に入射する偏光成分とは異なる偏光成分が入射する位置に配置されており、この第２領域への入射光を、前記第１領域に入射する光の偏光と等しい偏光の光に変換する
請求項３に記載の照明装置。
【請求項５】
前記光路合成部は、前記２以上の光源から異なる方向へ進行する光を共通の光路方向へ向けさせるように構成されたプリズムを含む
請求項３に記載の照明装置。
【請求項６】
前記光学部材が、
前記固体発光素子側から入射した光の指向角を変換する１または複数の指向角変換素子と、
短軸および長軸を有すると共に、前記指向角変換素子を透過した光が照明する所定の照明範囲における光の照度分布を均一化するインテグレータとを含み、
前記ＦＦＰの短軸方向が、前記インテグレータの光軸と直交する面内における、前記インテグレータの前記短軸方向と略一致している
請求項１に記載の照明装置。
【請求項７】
前記光学部材が、
前記固体発光素子側から入射した光の指向角を変換する１または複数の指向角変換素子と、
前記指向角変換素子を透過した光が照明する所定の照明範囲における光の照度分布を均一化するインテグレータとを含む
請求項１ないし請求項５のいずれか１項に記載の照明装置。
【請求項８】
前記インテグレータは、前記指向角変換素子側からの光が入射する第１のフライアイレンズと、前記第１のフライアイレンズ側からの光が入射する第２のフライアイレンズとを含み、
前記第１のフライアイレンズの各セルによって前記第２のフライアイレンズに形成される各光源像のサイズが前記第２のフライアイレンズの１セルのサイズを超えない大きさとなるように、前記指向角変換素子と、前記第１および第２のフライアイレンズとからなる光学系の光学倍率が設定されている
請求項７に記載の照明装置。
【請求項９】
前記指向角変換素子と、前記第１および第２のフライアイレンズとからなる光学系の光学倍率が、以下の関係式を満たす
請求項８に記載の照明装置。
ｈ＝Ｐ×ｍ≦ｈFEL2
ｈ：前記光源像のサイズ
Ｐ：前記光射出領域のサイズ（前記固体発光素子が単一のチップからなる場合はそのチップの発光スポットのサイズに等しく、前記固体発光素子が複数のチップからなる場合は最小面積で全てのチップの発光スポットを囲ったときのその囲いのサイズに等しい）
ｍ：前記指向角変換素子と、前記第１および第２のフライアイレンズとからなる光学系の光学倍率
ｈFEL2：前記第２のフライアイレンズの１セルのサイズ
【請求項１０】
前記第１のフライアイレンズは、前記第２のフライアイレンズの略焦点位置に配置されており、
前記第２のフライアイレンズは、前記第１のフライアイレンズの略焦点位置に配置されている
請求項８に記載の照明装置。
【請求項１１】
各光源は、前記固体発光素子を内蔵したパッケージとなっている
請求項１ないし請求項５のいずれか１項に記載の照明装置。
【請求項１２】
各光源は、前記固体発光素子を基材上に支持するパッケージとなっている
請求項１ないし請求項５のいずれか１項に記載の照明装置。
【請求項１３】
前記チップは、発光ダイオード、有機ＥＬ素子、またはレーザダイオードである
請求項１ないし請求項５のいずれか１項に記載の照明装置。
【請求項１４】
照明光学系と、
入力された映像信号に基づいて前記照明光学系からの光を変調することにより、画像光を生成する空間変調素子と、
前記空間変調素子で生成された画像光を投射する投影光学系と
を備え、
前記照明光学系は、
単一もしくは複数の発光スポットを含む光射出領域から光を発する固体発光素子をそれぞれ含む複数の光源と、
短軸および長軸を有すると共に、前記固体発光素子側から入射した光が通過して出射する光学部材と
を備え、
前記固体発光素子は、光を発する単一または複数のチップを含み、
前記複数の光源全体として、互いに異なる２以上の波長帯の光が発せられるように、前記発光スポットが３つ以上設けられ、
前記複数の光源のうちの２以上の光源間で、同一の波長帯の光が発せられる発光スポットが設けられ、
前記複数の光源全体として、前記チップの少なくとも１つがレーザダイオードを含み、
前記複数の光源のうちの少なくとも１つの光源における前記レーザダイオードからなるチップに、発光スポットが複数設けられると共に、このレーザダイオードからなるチップの各発光スポットから発せられる光におけるファーフィールドパターン（ＦＦＰ）の向きが、前記光学部材の光路中において互いに略一致している
投射型表示装置。
【請求項１５】
照明光学系と、
入力された映像信号に基づいて前記照明光学系からの光を変調することにより、画像光を生成する空間変調素子と、
前記空間変調素子で生成された画像光を投射する投影光学系と、
前記投影光学系から投射された画像光を映し出す透過型スクリーンと
を備え、
前記照明光学系は、
単一もしくは複数の発光スポットを含む光射出領域から光を発する固体発光素子をそれぞれ含む複数の光源と、
短軸および長軸を有すると共に、前記固体発光素子側から入射した光が通過して出射する光学部材と
を備え、
前記固体発光素子は、光を発する単一または複数のチップを含み、
前記複数の光源全体として、互いに異なる２以上の波長帯の光が発せられるように、前記発光スポットが３つ以上設けられ、
前記複数の光源のうちの２以上の光源間で、同一の波長帯の光が発せられる発光スポットが設けられ、
前記複数の光源全体として、前記チップの少なくとも１つがレーザダイオードを含み、
前記複数の光源のうちの少なくとも１つの光源における前記レーザダイオードからなるチップに、発光スポットが複数設けられると共に、このレーザダイオードからなるチップの各発光スポットから発せられる光におけるファーフィールドパターン（ＦＦＰ）の向きが、前記光学部材の光路中において互いに略一致している
直視型表示装置。
【発明の詳細な説明】
【技術分野】
【０００１】
本発明は、レーザダイオード（ＬＤ）などの固体発光素子を用いた照明装置、ならびにそれを備えた投影型表示装置および直視型表示装置に関する。
【背景技術】
【０００２】
近年、オフィスだけでなく、家庭でも、スクリーンに映像を投影するプロジェクタが広く利用されている。プロジェクタは、光源からの光をライトバルブで変調することにより画像光を生成し、スクリーンに投射して表示を行うものである。最近では、手のひらサイズの超小型プロジェクタや、超小型プロジェクタ内蔵の携帯電話機などが普及し始めている。
【先行技術文献】
【特許文献】
【０００３】
【特許文献１】特開２００８−１３４３２４号公報
【発明の概要】
【発明が解決しようとする課題】
【０００４】
ところで、プロジェクタに用いられる光源としては、高輝度の放電ランプが主流である。しかし、放電ランプでは、サイズが比較的大きく、消費電力も大きいことから、放電ランプに代わる光源として、近年では、発光ダイオード（ＬＥＤ）や、レーザダイオード（ＬＤ）、有機ＥＬ（ＯＬＥＤ）などの固体発光素子が注目されている。これらの固体発光素子は、サイズや消費電力だけでなく、高信頼性という点でも、放電ランプよりも有利である。
【０００５】
ここで、このようなプロジェクタでは一般に、赤（Ｒ），緑（Ｇ），青（Ｂ）の３原色の光を用いてカラー表示がなされるようになっている。ところが、これらの各原色光を発するデバイス（固体発光素子内のチップ）では、色ごとに発光強度（輝度）が異なっている場合があり、その場合、照明装置からの照明光（照射光）全体としての輝度向上を図るのが困難であった。これは、例えば上記３原色のうちの１色（例えばＧ）の発光強度が他の２色（例えばＲ，Ｂ）の発光強度と比べて相対的に低い場合、照明光全体としてのホワイトバランスを調整しようとすると、相対的に低いほうの発光強度を基準に合わせ込まざるを得ないからである。これらのことから、照明光の輝度を向上させるための手法の提案が望まれていた。
【０００６】
本発明はかかる問題点に鑑みてなされたものであり、その目的は、照明光の輝度を向上させることが可能な照明装置、ならびにそのような照明装置を用いた投影型表示装置および直視型表示装置を提供することにある。
【課題を解決するための手段】
【０００７】
本発明の照明装置は、単一もしくは複数の発光スポットを含む光射出領域から光を発する固体発光素子をそれぞれ含む複数の光源と、短軸および長軸を有すると共に固体発光素子側から入射した光が通過して出射する光学部材とを備えたものである。上記固体発光素子は、光を発する単一または複数のチップを含んでいる。上記複数の光源全体として、互いに異なる２以上の波長帯の光が発せられるように、上記発光スポットが３つ以上設けられている。上記複数の光源のうちの２以上の光源間で、同一の波長帯の光が発せられる発光スポットが設けられている。また、上記複数の光源全体として、チップの少なくとも１つがレーザダイオードを含み、上記複数の光源のうちの少なくとも１つの光源におけるレーザダイオードからなるチップに、発光スポットが複数設けられている。このレーザダイオードからなるチップの各発光スポットから発せられる光におけるファーフィールドパターン（ＦＦＰ）の向きが、上記光学部材の光路中において互いに略一致している。
【０００８】
本発明の投射型表示装置は、照明光学系と、入力された映像信号に基づいて照明光学系からの光を変調することにより、画像光を生成する空間変調素子と、空間変調素子で生成された画像光を投射する投影光学系とを備えたものである。この投射型表示装置に搭載された照明光学系は、上記本発明の照明装置と同一の構成要素を有している。
【０００９】
本発明の直視型表示装置は、照明光学系と、入力された映像信号に基づいて照明光学系からの光を変調することにより、画像光を生成する空間変調素子と、空間変調素子で生成された画像光を投射する投影光学系と、投影光学系から投射された画像光を映し出す透過型スクリーンとを備えたものである。この直視型表示装置に搭載された照明光学系は、上記本発明の照明装置と同一の構成要素を有している。
【００１０】
本発明の照明装置、投射型表示装置および直視型表示装置では、上記複数の光源全体として互いに異なる２以上の波長帯の光が発せられるように、上記発光スポットが３つ以上設けられていると共に、上記複数の光源のうちの２以上の光源間で、同一の波長帯の光が発せられる発光スポットが設けられている。これにより、照明装置から２以上の波長帯の光を照明光として出射する際に、各波長帯の光同士での発光強度が調整可能となる。
【００１１】
本発明の照明装置、投射型表示装置および直視型表示装置では、上記光学部材が、固体発光素子側から入射した光の指向角を変換する１または複数の指向角変換素子と、この指向角変換素子を透過した光が照明する所定の照明範囲における光の照度分布を均一化するインテグレータとを含むようにするのが望ましい。また、この場合において、上記インテグレータが、指向角変換素子側からの光が入射する第１のフライアイレンズと、この第１のフライアイレンズ側からの光が入射する第２のフライアイレンズとからなり、上記第１のフライアイレンズの各セルによって第２のフライアイレンズに形成される各光源像のサイズが第２のフライアイレンズの１セルのサイズを超えない大きさとなるように、指向角変換素子と、第１および第２のフライアイレンズとからなる光学系の光学倍率が設定されているようにするのが望ましい。このように構成した場合、第２のフライアイレンズに入射した光が、効率良く照明範囲にまで到達する。したがって、１つの光源像が複数のセルにまたがって形成されることがなくなり、照明装置における光利用効率を改善することができる。
【発明の効果】
【００１２】
本発明の照明装置、投射型表示装置および直視型表示装置によれば、複数の光源全体として互いに異なる２以上の波長帯の光が発せられるように、発光スポットが３つ以上設けられると共に、複数の光源のうちの２以上の光源間で、同一の波長帯の光が発せられる発光スポットが設けられるようにしたので、照明装置から２以上の波長帯の光を照明光として出射する際に、各波長帯の光同士での発光強度を調整することができ、照明光の輝度を向上させることが可能となる。
【図面の簡単な説明】
【００１３】
【図１】本発明の第１の実施の形態に係るプロジェクタの概略構成を表す図である。
【図２】図１のプロジェクタ内の光路の一例を示す図である。
【図３】図１の光源ユニットの詳細構成の一例を示す図である。
【図４】図１の光源においてチップが上面発光型の素子の場合の上面構成および断面構成の一例を示す図である。
【図５】図１の光源においてチップが上面発光型の素子の場合の上面構成および断面構成の他の例を示す図である。
【図６】図１の光源においてチップが上面発光型の素子の場合の上面構成および断面構成のその他の例を示す図である。
【図７】図１の光源においてチップが上面発光型の素子の場合の発光スポットの一例を示す図である。
【図８】図１の光源においてチップが端面発光型の素子の場合の断面構成および固体発光素子を光出射面側から見たときの構成の一例を示す図である。
【図９】図１の光源においてチップが端面発光型の素子の場合の断面構成および固体発光素子を光出射面側から見たときの構成の他の例を示す図である。
【図１０】図１の光源においてチップが端面発光型の素子の場合の断面構成および固体発光素子を光出射面側から見たときの構成のその他の例を示す図である。
【図１１】図７の光源をＸＹ平面で９０度回転させたときの構成例を示す図である。
【図１２】図８の光源をＸＹ平面で９０度回転させたときの構成例を示す図である。
【図１３】図９の光源をＸＹ平面で９０度回転させたときの構成例を示す図である。
【図１４】図１のフライアイレンズの概略構成を表す図である。
【図１５】図１の各光源における各色光発光スポットの配置構成例を示す模式図である。
【図１６】図１の光源における発光スポットの配置構成とＦＦＰとの関係の一例を表す図である。
【図１７】図１のプロジェクタにおいて後段のフライアイレンズに現れる光源像の一例を表す模式図である。
【図１８】図１の照明範囲のサイズについて説明するための模式図である。
【図１９】第２の実施の形態に係る光源ユニットおよび位相差板アレイの構成例を表す図である。
【図２０】図１９のダイクロイックプリズムの作用の一例を示す図である。
【図２１】図１９の位相差板アレイの概略構成例を示す図である。
【図２２】図１９のインテグレータおよび位相差板アレイの作用の一例を示す図である。
【図２３】図１９のインテグレータにおける後段のフライアイレンズに現れる光源像の一例を表す模式図である。
【図２４】変形例１に係るプロジェクタの概略構成を表す図である。
【図２５】変形例２に係るプロジェクタの概略構成を表す図である。
【図２６】上記各実施の形態等の照明光学系を用いたリアプロジェクション表示装置の概略構成例を表す図である。
【図２７】その他の変形例に係る各光源における各色光発光スポットの配置構成例を示す模式図である。
【発明を実施するための形態】
【００１４】
以下、発明を実施するための形態について、図面を参照して詳細に説明する。なお、説明は以下の順序で行う。
１．第１の実施の形態（光源ユニット内の光路合成部としてプリズムを用いた例）
２．第２の実施の形態（光源ユニット内の光路合成部として、ダイクロイックプリズムおよび位相差板アレイ等を用いた例）
３．変形例
変形例１（空間変調素子として反射型の素子を用いた例）
変形例２（照明光学系内からインテグレータおよびコンデンサレンズを省いた例）
その他の変形例（リアプロジェクション表示装置への適用例等）
【００１５】
＜第１の実施の形態＞
［プロジェクタ１の全体構成］
図１（Ａ），（Ｂ）は、本発明の第１の実施の形態に係るプロジェクタ（プロジェクタ１）の概略構成を表すものである。なお、このプロジェクタ１が、本発明の「投射型表示装置」の一具体例に相当する。図１（Ａ）はプロジェクタ１を上から（ｙ軸方向から）見たときの構成例を表し、図１（Ｂ）はプロジェクタ１を横から（ｘ軸方向から）見たときの構成例を表す。また、図２（Ａ），（Ｂ）は、図１のプロジェクタ１内の光路の一例を表すものである。図２（Ａ）は、プロジェクタ１を上から（ｙ軸方向から）見たときの光路の一例を表し、図２（Ｂ）はプロジェクタ１を横から（ｘ軸方向から）見たときの光路の一例を表す。更に、図３は、図１および図２に示した後述する光源ユニット１０−１の詳細構成例を表したものである。
【００１６】
典型的には、ｙ軸は垂直方向を向き、ｘ軸は水平方向を向いているが、その逆に、ｙ軸が水平方向を向き、ｘ軸が垂直方向を向いていてもよい。なお、以下では、便宜的に、ｙ軸は垂直方向を向き、ｘ軸は水平方向を向いているものとして説明するものとする。また、以下において、「横方向」とはｘ軸方向を指しており、「縦方向」とはｙ軸方向を指しているものとする。
【００１７】
プロジェクタ１は、例えば、照明光学系１Ａと、入力された映像信号に基づいて照明光学系１Ａからの光を変調することにより画像光を生成する空間変調素子６０と、この空間変調素子６０で生成された画像光を反射型のスクリーン２に投射する投影光学系７０とを備えている。ここで、照明光学系１Ａが、本発明の「照明装置」の一具体例に相当する。
【００１８】
［照明光学系１Ａの構成］
照明光学系１Ａは、空間変調素子６０の照明範囲６０Ａ（被照射面）を照射する光束を供給するものである。なお、必要に応じて、照明光学系１Ａの光が通過する領域上に、何らかの光学素子が設けられていてもよい。例えば、照明光学系１Ａの光が通過する領域上に、照明光学系１Ａからの光のうち可視光以外の光を減光するフィルタなどが設けられていてもよい。
【００１９】
照明光学系１Ａは、例えば、図１（Ａ），（Ｂ）に示したように、２つの光源１０Ａ，１０Ｄを含む光源ユニット１０−１と、２つの光源１０Ｂ，１０Ｃと、カップリングレンズ（指向角変換素子）２０Ｂ，２０Ｃと、光路合成素子３０と、インテグレータ４０と、コンデンサレンズ５０とを有している。また、光源ユニット１０−１は、例えば図３に示したように、上記した光源１０Ａ，１０Ｄに加え、カップリングレンズ２０Ａ，２０Ｄ（指向角変換素子）およびプリズム３０Ｃを有している。なお、このプリズム３０Ｃが、本発明の「光路合成部」の一具体例に相当する。
【００２０】
プリズム３０Ｃは、光源ユニット１０−１内の２つの光源１０Ａ，１０Ｄからの光を合成するものである。また、光路合成素子３０は、光源ユニット１０−１からの光（光源１０Ａ，１０Ｄからそれぞれ発せられたのち、プリズム３０Ｃにより光路合成がなされた光）と、光源１０Ｂ，１０Ｃからの光とを合成するものであり、例えば、２つのダイクロイックミラー３０Ａ，３０Ｂからなる。インテグレータ４０は、照明範囲６０Ａにおける光の照度分布を均一化するものであり、例えば、一対のフライアイレンズ４０Ａ，４０Ｂからなる。
【００２１】
光源１０Ａの光軸上には、カップリングレンズ２０Ａと、プリズム３０Ｃと、光路合成素子３０と、インテグレータ４０と、コンデンサレンズ５０とが、光源１０Ａ側からこの順に配列されている。光源１０Ｄの光軸上には、カップリングレンズ２０Ｄと、プリズム３０Ｃと、光路合成素子３０と、インテグレータ４０と、コンデンサレンズ５０とが、光源１０Ａ側からこの順に配列されている。光源１０Ｂの光軸は、光源１０Ａ，１０Ｄの光軸とダイクロイックミラー３０Ａにおいて直交しており、光源１０Ｂの光軸上には、カップリングレンズ２０Ｂおよびダイクロイックミラー３０Ａが、光源１０Ｂ側からこの順に配列されている。光源１０Ｃの光軸は、光源１０Ａ，１０Ｄの光軸とダイクロイックミラー３０Ｂにおいて直交しており、光源１０Ｃの光軸上には、カップリングレンズ２０Ｃおよびダイクロイックミラー３０Ｂが、光源１０Ｃ側からこの順に配列されている。ここで、これらのうち、カップリングレンズ（指向角変換素子）２０Ａ，２０Ｂ，２０Ｃ，２０Ｄおよびインテグレータ４０が、本発明の「光学部材（後述する固体発光素子側から入射した光が通過して出射する光学部材）」の一具体例に相当する。
【００２２】
なお、図１（Ａ），（Ｂ）では、プロジェクタ１の各構成要素（光源１０Ｂ，１０Ｃ、カップリングレンズ２０Ｂ，２０Ｃを除く）がｚ軸と平行な線分上に配列されている場合が例示されているが、プロジェクタ１の各構成要素の一部がｚ軸と非平行な線分上に配列されていてもよい。例えば、図示しないが、照明光学系１Ａ全体を図１（Ａ），（Ｂ）の状態から９０°回転させて照明光学系１Ａの光軸がｚ軸と直交する方向を向くように照明光学系１Ａがレイアウトされていてもよい。ただし、このようにした場合には、照明光学系１Ａから出力された光を空間変調素子６０に導く光学素子（例えばミラー）を設けることが必要である。また、例えば、光源１０Ａ、カップリングレンズ２０Ａおよび光路合成素子３０を図１（Ａ），（Ｂ）の状態から９０°回転させて、これらの光軸をｚ軸と直交する方向を向くように光源ユニット１０−１および光路合成素子３０がレイアウトされていてもよい。ただし、このようにした場合にも、光路合成素子３０から出力された光をインテグレータ４０に導く光学素子（例えばミラー）を設けることが必要である。
【００２３】
（光源１０Ａ，１０Ｂ，１０Ｃ，１０Ｄ：チップ１１Ａが上面発光型の素子の場合）
光源１０Ａ，１０Ｂ，１０Ｃ，１０Ｄは、それぞれ、例えば、図４（Ａ），（Ｂ）〜図６（Ａ），（Ｂ）に示したように、固体発光素子１１と、固体発光素子１１を支持するパッケージ１２（固体発光素子１１を実装するための基材）とを有している。換言すると、ここでは、各光源１０Ａ，１０Ｂ，１０Ｃ，１０Ｄは、固体発光素子１１を基材上に支持するパッケージとなっている。固体発光素子１１は、単一もしくは複数の点状、または単一もしくは複数の非点状の発光スポットからなる光射出領域から光を発するようになっている。固体発光素子１１は、例えば、図４（Ａ），（Ｂ）に示したように、所定の波長帯の光を発する単一のチップ１１Ａからなっていてもよいし、例えば、図５（Ａ），（Ｂ）および図６（Ａ），（Ｂ）に示したように、同一の波長帯もしくは互いに異なる波長帯の光を発する複数のチップ１１Ａからなっていてもよい。固体発光素子１１が複数のチップ１１Ａからなる場合には、それらのチップ１１Ａは、例えば、図５（Ａ），（Ｂ）に示したように、横方向に一列に配置されていたり、例えば、図６（Ａ），（Ｂ）に示したように、横方向および縦方向に格子状に配置されていたりする。固体発光素子１１に含まれるチップ１１の数は、光源１０Ａ，１０Ｂ，１０Ｃ，１０Ｄごとに異なっていてもよいし、全ての光源１０Ａ，１０Ｂ，１０Ｃ，１０Ｄで互いに等しくなっていてもよい。
【００２４】
固体発光素子１１が単一のチップ１１Ａからなる場合には、固体発光素子１１としてのサイズ（ＷV×ＷH）は、例えば、図４（Ａ）に示したように、単一のチップ１１Ａのサイズ（ＷV1×ＷH1）に等しい。一方、固体発光素子１１が複数のチップ１１Ａからなる場合には、固体発光素子１１としてのサイズは、例えば、図５（Ａ），図６（Ａ）に示したように、全てのチップ１１Ａをひとまとまりとしたときのサイズに等しい。複数のチップ１１Ａが横方向に一列に配置されている場合には、固体発光素子１１としてのサイズ（ＷV×ＷH）は、図５（Ａ）の例では、ＷV1×２ＷH1となる。また、複数のチップ１１Ａが、横方向および縦方向に格子状に配置されている場合には、固体発光素子１１としてのサイズ（ＷV×ＷH）は、図６（Ａ）の例では、２ＷV1×２ＷH1となる。
【００２５】
チップ１１Ａは、発光ダイオード（ＬＥＤ）、有機ＥＬ発光素子（ＯＬＥＤ）、またはレーザダイオード（ＬＤ）からなる。光源１０Ａ，１０Ｂ，１０Ｃ，１０Ｄのそれぞれに含まれるチップ１１Ａが全て、ＬＥＤによって構成されていてもよいし、ＯＬＥＤによって構成されていてもよいし、ＬＤによって構成されていてもよい。また、光源１０Ａ，１０Ｂ，１０Ｃ，１０Ｄのうち少なくとも１つの光源に含まれるチップ１１Ａが、ＬＥＤによって構成され、それ以外の光源に含まれるチップ１１Ａが、ＯＬＥＤによって構成されていてもよい。また、光源１０Ａ，１０Ｂ，１０Ｃ，１０Ｄのうち少なくとも１つの光源に含まれるチップ１１Ａが、ＬＥＤによって構成され、それ以外の光源に含まれるチップ１１Ａが、ＬＤによって構成されていてもよい。また、光源１０Ａ，１０Ｂ，１０Ｃ，１０Ｄのうち少なくとも１つの光源に含まれるチップ１１Ａが、ＯＬＥＤによって構成され、それ以外の光源に含まれるチップ１１Ａが、ＬＤによって構成されていてもよい。ただし、光源１０Ａ，１０Ｂ，１０Ｃ，１０Ｄ全体として、チップ１１Ａの少なくとも１つがＬＤによって構成されているのが望ましい。
【００２６】
各光源１０Ａ，１０Ｂ，１０Ｃ，１０Ｄに含まれるチップ１１Ａは、例えば、光源１０Ａ，１０Ｄと、光源１０Ｂと、光源１０Ｃとで、互いに異なる波長帯の光を発するようになっている。光源１０Ａ，１０Ｄに含まれるチップ１１Ａは、例えば、波長４００ｎｍ〜５００ｎｍ程度の波長の光（青色光）を発するものである。光源１０Ｂに含まれるチップ１１Ａは、例えば、波長５００ｎｍ〜６００ｎｍ程度の波長の光（緑色光）を発するものである。光源１０Ｃに含まれるチップ１１Ａは、例えば、波長６００ｎｍ〜７００ｎｍ程度の波長の光（赤色光）を発するものである。なお、光源１０Ａ，１０Ｄに含まれるチップ１１Ａが、青色光以外の光（緑色光または赤色光）を発するものであってもよい。また、光源１０Ｂに含まれるチップ１１Ａが、緑色光以外の光（青色光または赤色光）を発するものであってもよい。また、光源１０Ｃに含まれるチップ１１Ａが、赤色光以外の光（緑色光または青色光）を発するものであってもよい。なお、このような各光源１０Ａ，１０Ｂ，１０Ｃ，１０Ｄに含まれる各チップ１１Ａの発光色（各色発光スポット）の具体例については、後述する（図１５（Ａ）〜（Ｃ）等）。
【００２７】
チップ１１Ａは、例えば、図４（Ａ），（Ｂ）〜図７（Ａ），（Ｂ），（Ｃ）に示したように、チップ１１Ａサイズ（ＷV×ＷH）よりも小さなサイズ（ＰV1×ＰH1）の発光スポット１１Ｂを有している。発光スポット１１Ｂは、チップ１１Ａに電流を注入してチップ１１Ａを駆動したときにチップ１１Ａから光が発せられる領域（光射出領域）に相当する。チップ１１ＡがＬＥＤまたはＯＬＥＤからなる場合には、発光スポット１１Ｂは非点状（面状）となっているが、チップ１１ＡがＬＤからなる場合には、発光スポット１１ＢはＬＥＤまたはＯＬＥＤの発光スポット１１Ｂよりも小さな点状となっている。
【００２８】
固体発光素子１１が単一のチップ１１Ａからなる場合には、発光スポット１１Ｂの数は、例えば、図７（Ａ）に示したように１つである。ただし、後述するように、固体発光素子１１がモノリシック構造である場合には、発光スポット１１Ｂの数は複数個になり、以下同様である。一方、固体発光素子１１が複数のチップ１１Ａからなる場合には、発光スポット１１Ｂの数は、例えば、図７（Ｂ），（Ｃ）に示したようにチップ１１Ａの数と等しい（ただし、上記したように固体発光素子１１がモノリシック構造である場合には、発光スポット１１Ｂの数は、チップ１１Ａの数よりも多くなる）。ここで、固体発光素子１１が単一のチップ１１Ａからなる場合には、固体発光素子１１としての光射出領域のサイズ（ＰV×ＰH）は、発光スポット１１Ｂのサイズ（ＰV1×ＰH1）に等しい（ただし、上記したように、固体発光素子１１がモノリシック構造である場合を除く）。一方、固体発光素子１１が複数のチップ１１Ａからなる場合には、固体発光素子１１としての光射出領域のサイズ（ＰV×ＰH）は、最小面積で全てのチップ１１Ａの発光スポット１１Ｂを囲ったときのその囲いのサイズに等しい。複数のチップ１１Ａが横方向に一列に配置されている場合には、光射出領域のサイズ（ＰV×ＰH）は、図７（Ｂ）の例では、ＰV1×２ＰH1よりも大きく、ＷV×ＷHよりも小さい。また、複数のチップ１１Ａが、横方向および縦方向に格子状に配置されている場合には、光射出領域のサイズ（ＰV×ＰH）は、図７（Ｃ）の例では、２ＰV1×２ＰH1よりも大きく、ＷV×ＷHよりも小さい。
【００２９】
（光源１０Ａ，１０Ｂ，１０Ｃ，１０Ｄ：チップ１１Ａが端面発光型の素子の場合）
ここで、図４（Ａ），（Ｂ）〜図７（Ａ），（Ｂ）では、チップ１１Ａが上面発光型の素子となっている場合を例示したが、チップ１１Ａは、以下説明するような端面発光型の素子であってもよい。その場合には、光源１０Ａ，１０Ｂ，１０Ｃ，１０Ｄは、それぞれ、例えば、図８（Ａ），（Ｂ）〜図１３（Ａ），（Ｂ），（Ｃ）に示したように、ステム１３とキャップ１４とによって囲まれた内部空間に、１または複数の端面発光型のチップ１１Ａからなる固体発光素子１１が収容されたキャンタイプの形態となっている。換言すると、ここでは、各光源１０Ａ，１０Ｂ，１０Ｃ，１０Ｄは、固体発光素子１１を内蔵したパッケージとなっている。
【００３０】
ステム１３は、キャップ１４とともに光源１０Ａ，１０Ｂ，１０Ｃ，１０Ｄのパッケージを構成するものであり、例えば、サブマウント１５を支持する支持基板１３Ａと、支持基板１３Ａの裏面に配置された外枠基板１３Ｂと、複数の接続端子１３Ｃとを有している。
【００３１】
サブマウント１５は導電性および放熱性を有する材料からなる。支持基板１３Ａおよび外枠基板１３Ｂは、それぞれ、導電性および放熱性を有する基材に、１または複数の絶縁性のスルーホールと、１または複数の導電性のスルーホールとが形成されたものである。支持基板１３Ａおよび外枠基板１３Ｂは、例えば、円板形状となっており、双方の中心軸（図示せず）が互いに重なり合うように積層されている。外枠基板１３Ｂの直径は、支持基板１３Ａの直径よりも大きくなっている。外枠基板１３Ｂの外縁は、外枠基板１３Ｂの中心軸を法線とする面内において外枠基板１３Ｂの中心軸から放射方向に張り出した環状のフランジとなっている。フランジは、製造過程においてキャップ１４を支持基板１３Ａに嵌合させるときの基準位置を規定する役割を有している。
【００３２】
複数の接続端子１３Ｃは、少なくとも支持基板１３Ａを貫通している。複数の接続端子１３Ｃのうち少なくとも１つの端子を除いた端子（以下、便宜的に「端子α」とする。）は、個々のチップ１１Ａの電極（図示せず）に１つずつ電気的に接続されている。端子αは、例えば、外枠基板１３Ｂ側に長く突出しており、かつ支持基板１３Ａ側に短く突出している。また、複数の接続端子１３Ｃのうち上記の端子α以外の端子（以下、便宜的に「端子β」とする。）は、全てのチップ１１Ａの他の電極（図示せず）に電気的に接続されている。端子βは、例えば、外枠基板１３Ｂ側に長く突出しており、端子βの支持基板１３Ａ側の端縁は、例えば、支持基板１３Ａ内に埋め込まれている。各接続端子１３Ｃのうち外枠基板１３Ｂ側に長く突出している部分が、例えば基板などに嵌め込まれる部分に相当する。一方、複数の接続端子１３Ｃのうち支持基板１３Ａ側に短く突出している部分が、ワイヤ１６を介して個々のチップ１１Ａと１つずつ電気的に接続される部分に相当する。複数の接続端子１３Ｃのうち支持基板１３Ａ内に埋め込まれている部分が、例えば、支持基板１３Ａおよびサブマウント１５を介して全てのチップ１１Ａと電気的に接続される部分に相当する。端子αは、支持基板１３Ａおよび外枠基板１３Ｂに設けられた絶縁性のスルーホールによって支持されており、そのスルーホールによって支持基板１３Ａおよび外枠基板１３Ｂから絶縁分離されている。さらに、個々の端子αは、上記の絶縁部材によって互いに絶縁分離されている。一方、端子βは、支持基板１３Ａおよび外枠基板１３Ｂに設けられた導電性のスルーホールによって支持されており、そのスルーホールと電気的に接続されている。
【００３３】
キャップ１４は、固体発光素子１１を封止するものである。キャップ１４は、例えば、上端および下端に開口が設けられた筒部１４Ａを有している。筒部１４Ａの下端が、例えば、支持基板１３Ａの側面に接しており、筒部１４Ａの内部空間に、固体発光素子１１が位置している。キャップ１４は、筒部１４Ａの上端側の開口を塞ぐようにして配置された光透過窓１４Ｂを有している。光透過窓１４Ｂは、固体発光素子１１の光射出面と対向する位置に配置されており、固体発光素子１１から出力された光を透過する機能を有している。
【００３４】
このように、チップ１１Ａが端面発光型の素子からなる場合においても、固体発光素子１１は、単一もしくは複数の点状、または単一もしくは複数の非点状の発光スポットからなる光射出領域から光を発するようになっている。固体発光素子１１は、例えば、所定の波長帯の光を発する単一のチップ１１Ａからなっていてもよいし、同一の波長帯の光を発する複数のチップ１１Ａからなっていてもよいし、互いに異なる波長帯の光を発する複数のチップ１１Ａからなっていてもよい。固体発光素子１１が複数のチップ１１Ａからなる場合には、それらのチップ１１Ａは、例えば、図８（Ａ），（Ｂ）および図９（Ａ），（Ｂ）に示したように、横方向に一列に配置されていたり、例えば、図１１（Ａ），（Ｂ）および図１２（Ａ），（Ｂ）に示したように、縦方向に一列に配置されていたりする。固体発光素子１１に含まれるチップ１１Ａの数は、光源１０Ａ，１０Ｂ，１０Ｃ，１０Ｄごとに異なっていてもよいし、全ての光源１０Ａ，１０Ｂ，１０Ｃ，１０Ｄで互いに等しくなっていてもよい。
【００３５】
固体発光素子１１が単一のチップ１１Ａからなる場合には、固体発光素子１１としてのサイズ（ＷV×ＷH）は、例えば、図１０（Ｂ）および図１３（Ｂ）に示したように、単一のチップ１１Ａのサイズ（ＷV1×ＷH1）に等しい。ただし、例えば図１０（Ｃ）および図１３（Ｃ）に示したように、固体発光素子１１がモノリシック構造である場合には次のようになり、以下同様である。すなわち、図１０（Ｃ）の例では、固体発光素子１１としてのサイズ（ＷV×ＷH）は、ＷV1×２ＷH1より大きく、図１３（Ｃ）の例では、固体発光素子１１としてのサイズ（ＷV×ＷH）は、２ＷV1×ＷH1より大きい。一方、固体発光素子１１が複数のチップ１１Ａからなる場合には、固体発光素子１１としてのサイズは、例えば、図８（Ｂ），図９（Ｂ），図１１（Ｂ），図１２（Ｂ）に示したように、全てのチップ１１Ａをひとまとまりとしたときのサイズに等しい。複数のチップ１１Ａが横方向に一列に配置されている場合には、固体発光素子１１としてのサイズ（ＷV×ＷH）は、図８（Ｂ）の例では、ＷV1×３ＷH1より大きく、図９（Ｂ）の例では、ＷV1×２ＷH1より大きい。また、複数のチップ１１Ａが縦方向に一列に配置されている場合には、固体発光素子１１としてのサイズ（ＷV×ＷH）は、図１１（Ｂ）の例では、３ＷV1×ＷH1より大きく、図１２（Ｂ）の例では、２ＷV1×ＷH1より大きい。
【００３６】
チップ１１Ａは、例えば、レーザダイオード（ＬＤ）からなる。光源１０Ａ，１０Ｂ，１０Ｃ，１０Ｄのそれぞれに含まれるチップ１１Ａが全て、ＬＤによって構成されていてもよい。また、光源１０Ａ，１０Ｂ，１０Ｃ，１０Ｄのうち少なくとも１つの光源に含まれるチップ１１Ａが、ＬＤによって構成され、それ以外の光源に含まれるチップ１１Ａが、ＬＥＤまたはＯＬＥＤによって構成されていてもよい。ただしこの場合も、光源１０Ａ，１０Ｂ，１０Ｃ，１０Ｄ全体として、チップ１１Ａの少なくとも１つがＬＤによって構成されているのが望ましい。
【００３７】
チップ１１Ａは、例えば、図８（Ａ），（Ｂ）〜図１６（Ａ），（Ｂ），（Ｃ）に示したように、チップ１１Ａサイズ（ＷV×ＷH）よりも小さなサイズ（ＰV1×ＰH1）の発光スポット１１Ｂを有している。発光スポット１１Ｂは、チップ１１Ａに電流を注入してチップ１１Ａを駆動したときにチップ１１Ａから光が発せられる領域（光射出領域）に相当する。チップ１１ＡがＬＤからなる場合には、発光スポット１１ＢはＬＥＤまたはＯＬＥＤの発光スポットよりも小さな点状となっている。
【００３８】
固体発光素子１１が単一のチップ１１Ａからなる場合には、発光スポット１１Ｂの数は、例えば、図１０（Ｂ）および図１３（Ｂ）に示したように１つである。ただし、例えば図１０（Ｃ）および図１３（Ｃ）に示したように、固体発光素子１１がモノリシック構造である場合には、発光スポット１１Ｂの数は複数（ここでは２つ）となり、以下同様である。一方、固体発光素子１１が複数のチップ１１Ａからなる場合には、発光スポット１１Ｂの数は、例えば、図８（Ｂ），図９（Ｂ），図１１（Ｂ）、図１２（Ｂ）に示したようにチップ１１Ａの数と等しい。ここで、固体発光素子１１が単一のチップ１１Ａからなる場合には、固体発光素子１１としての光射出領域のサイズ（ＰV×ＰH）は、発光スポット１１Ｂのサイズ（ＰV1×ＰH1）に等しい。ただし、例えば図１０（Ｃ）および図１３（Ｃ）に示したように、固体発光素子１１がモノリシック構造である場合には次のようになり、以下同様である。すなわち、図１０（Ｃ）の例では、固体発光素子１１としての光射出領域のサイズ（ＰV×ＰH）は、ＰV1×２ＰH1よりも大きく、ＷV×ＷHよりも小さい。また、図１３（Ｃ）の例では、固体発光素子１１としての光射出領域のサイズ（ＰV×ＰH）は、２ＰV1×ＰH1よりも大きく、ＷV×ＷHよりも小さい。一方、固体発光素子１１が複数のチップ１１Ａからなる場合には、固体発光素子１１としての光射出領域のサイズ（ＰV×ＰH）は、最小面積で全てのチップ１１Ａの発光スポット１１Ｂを囲ったときのその囲いのサイズに等しい。複数のチップ１１Ａが横方向に一列に配置されている場合には、光射出領域のサイズ（ＰV×ＰH）は、図８（Ｂ）の例では、ＰV1×３ＰH1よりも大きく、ＷV×ＷHよりも小さい。同様に、図９（Ｂ）の例では、光射出領域のサイズ（ＰV×ＰH）は、ＰV1×２ＰH1よりも大きく、ＷV×ＷHよりも小さい。また、複数のチップ１１Ａが縦方向に一列に配置されている場合には、光射出領域のサイズ（ＰV×ＰH）は、図１１（Ｂ）の例では、３ＰV1×ＰH1よりも大きく、ＷV×ＷHよりも小さい。同様に、図１２（Ｂ）の例では、光射出領域のサイズ（ＰV×ＰH）は、２ＰV1×ＰH1よりも大きく、ＷV×ＷHよりも小さい。
【００３９】
カップリングレンズ２０Ａは、例えば、図３に示したように、光源１０Ａから発せられた光を略平行光化するものであり、光源１０Ａから発せられた光の指向角（θH，θV）を、平行光の指向角と等しくなるように、またはそれに近づくように変換するものである。カップリングレンズ２０Ａは、光源１０Ａから発せられた光のうち指向角内の光が入射する位置に配置されている。カップリングレンズ２０Ｂは、例えば、図２（Ａ），（Ｂ）に示したように、光源１０Ｂから発せられた光を略平行光化するものであり、光源１０Ｂから発せられた光の指向角（θH，θV）を、平行光の指向角と等しくなるように、またはそれに近づくように変換するものである。カップリングレンズ２０Ｂは、光源１０Ｂから発せられた光のうち指向角内の光が入射する位置に配置されている。カップリングレンズ２０Ｃは、例えば、図２（Ａ），（Ｂ）に示したように、光源１０Ｃから発せられた光を略平行光化するものであり、光源１０Ｃから発せられた光の指向角（θH，θV）を、平行光の指向角と等しくなるように、またはそれに近づくように変換するものである。カップリングレンズ２０Ｃは、光源１０Ｃから発せられた光のうち指向角内の光が入射する位置に配置されている。カップリングレンズ２０Ｄは、例えば、図３に示したように、光源１０Ｄから発せられた光を略平行光化するものであり、光源１０Ｄから発せられた光の指向角（θH，θV）を、平行光の指向角と等しくなるように、またはそれに近づくように変換するものである。カップリングレンズ２０Ｄは、光源１０Ｄから発せられた光のうち指向角内の光が入射する位置に配置されている。つまり、カップリングレンズ２０Ａ，２０Ｂ，２０Ｃ，２０Ｄは、光源１０Ａ，１０Ｂ，１０Ｃ，１０Ｄごとに１つずつ配置されている。なお、カップリングレンズ２０Ａ，２０Ｂ，２０Ｃ，２０Ｄは、それぞれ、単一のレンズによって構成されていてもよいし、複数のレンズによって構成されていてもよい。
【００４０】
ダイクロイックミラー３０Ａ，３０Ｂは、波長選択性を持つ１枚のミラーを含むものである。なお、上記のミラーは、例えば、多層の干渉膜を蒸着して構成されたものである。ダイクロイックミラー３０Ａは、例えば、図２（Ａ），（Ｂ）に示したように、ミラーの裏面側から入射した光（光源１０Ａ，１０Ｄ側（光源ユニット１０−１側）から入射した光）をミラーの表面側に透過させるとともに、ミラーの表面側から入射した光（光源１０Ｂ側から入射した光）をミラーで反射するようになっている。一方、ダイクロイックミラー３０Ｂは、図２（Ａ），（Ｂ）に示したように、ミラーの裏面側から入射した光（ダイクロイックミラー３０Ａ側から入射した光源１０Ａ，１０Ｂ，１０Ｄの光）をミラーの表面側に透過させるとともに、ミラーの表面側から入射した光（光源１０Ｃ側から入射した光）をミラーで反射するようになっている。従って、光路合成素子３０は、光源１０Ａ，１０Ｂ，１０Ｃ，１０Ｄから発せられた個々の光束を単一の光束に合成するようになっている。
【００４１】
フライアイレンズ４０Ａ、４０Ｂはそれぞれ、例えば図１４（Ａ），（Ｂ）に示したように、所定の配列状態（ここでは、縦×横＝４×３のマトリクス状）に配置された複数のレンズ（セル）によって構成されたものである。フライアイレンズ４０Ｂに含まれる複数のセル４２は、フライアイレンズ４０Ａのセル４１ごとに１つずつ対向して配置されている。フライアイレンズ４０Ａは、フライアイレンズ４０Ｂの焦点位置（または略焦点位置）に配置されており、フライアイレンズ４０Ｂは、フライアイレンズ４０Ａの焦点位置（または略焦点位置）に配置されている。従って、インテグレータ４０は、フライアイレンズ４０Ａで分割形成された光束がフライアイレンズ４０Ｂの像側のレンズ面近傍に焦点を結び、ここに２次光源面（光源像）を形成するようになっている。この２次光源面は投影光学系７０の入射瞳と共役な面の位置に位置している。ただし、この２次光源面は、必ずしも厳密に投影光学系７０の入射瞳と共役な面の位置に位置している必要はなく、設計上の許容範囲内に位置していればよい。なお、フライアイレンズ４０Ａ、４０Ｂは、一体に形成されたものであってもよい。
【００４２】
ここで、一般に光源１０Ａ，１０Ｂ，１０Ｃ，１０Ｄから射出された光束は、その進行方向に垂直な面において不均一な強度分布をもっている。そのため、これら光束をそのまま照明範囲６０Ａ（被照射面）に導くと、照明範囲６０Ａでの照度分布が不均一になる。これに対して、上記のように光源１０Ａ，１０Ｂ，１０Ｃ，１０Ｄから射出された光束を、インテグレータ４０によって複数の光束に分割してそれぞれを照明範囲６０Ａに重畳的に導くようにすれば、照明範囲６０Ａ上の照度分布を均一にすることができる。
【００４３】
コンデンサレンズ５０は、インテグレータ４０により形成された多光源からの光束を集光して照明範囲６０Ａを重畳的に照明するものである。
【００４４】
空間変調素子６０は、光源１０，１０Ｂ，１０Ｃ，１０Ｄの各波長成分に対応した色画像信号に基づいて、照明光学系１Ａからの光束を２次元的に変調し、これにより画像光を生成するものである。この空間変調素子６０は、例えば図２（Ａ），（Ｂ）に示したように、ここでは透過型の素子であり、例えば、透過型の液晶パネルによって構成されている。
【００４５】
［プロジェクタ１の特徴部分の構成］
次に、本実施の形態のプロジェクタ１の特徴部分について説明する。
【００４６】
（特徴部分その１）
まず、本実施の形態では、光源１０Ａ，１０Ｂ，１０Ｃ，１０Ｄ全体として、互いに異なる２以上の波長帯の光（ここでは、３つの波長帯の光である赤色光，緑色光，青色光）が発せられるように、発光スポット１１Ｂが３つ以上設けられている。また、これらの光源１０Ａ，１０Ｂ，１０Ｃのうちの２以上の光源（ここでは、２つの光源１０Ａ，１０Ｄ）間で、同一の波長帯の光（ここでは、赤色光、緑色光または青色光）が発せられる発光スポット１１Ｂが（共通して）設けられている。そして、これらの２以上の光源（ここでは２つの光源１０Ａ，１０Ｄ）からそれぞれ発せられる上記同一波長帯の光を合成する光路合成部（ここではプリズム３０Ｃ）が設けられている。
【００４７】
具体的には、例えば図１５（Ａ），（Ｂ）に模式的に示したようにして、４つの光源１０Ａ，１０Ｂ，１０Ｃ，１０Ｄにおいて、赤色発光スポット１１Ｂｒ、緑色発光スポット１１Ｂｇおよび青色発光スポット１１Ｂｂがそれぞれ配置されている。すなわち、図１５（Ａ）に示した例では、光源１０Ａ，１０Ｄにおいてそれぞれ、固体発光素子１１が１つの緑色発光スポット１１Ｂｇを有し、光源１０Ｂにおいて固体発光素子１１が１つの青色発光スポット１１Ｂｂを有し、光源１０Ｃにおいて固体発光素子１１が１つの赤色発光スポット１１Ｂｒを有している。また、図１５（Ｂ）に示した例では、光源１０Ａ，１０Ｄにおいてそれぞれ、固体発光素子１１が２つの緑色発光スポット１１Ｂｇを有し、光源１０Ｂにおいて固体発光素子１１が１つの青色発光スポット１１Ｂｂを有し、光源１０Ｃにおいて固体発光素子１１が１つの赤色発光スポット１１Ｂｒを有している。そして、これら図１５（Ａ），（Ｂ）に示した例ではそれぞれ、上記した２以上の光源（ここでは２つの光源１０Ａ，１０Ｄ）からそれぞれ発せられる上記同一波長帯の光（ここでは緑色光）を合成する光路合成部（ここではプリズム３０Ｃ）が、光源ユニット１０−１内に設けられている。
【００４８】
（特徴部分その２）
また、本実施の形態では、光源１０Ａ，１０Ｂ，１０Ｃ，１０Ｄのうちの少なくとも１つの光源において、ＬＤからなるチップ１１Ａにおける発光スポット１１Ｂが複数設けられている場合に、以下のように構成されていることが望ましい。すなわち、まず、各発光スポット１１Ｂから発せられる光におけるファーフィールドパターン（ＦＦＰ）の短軸方向がそれぞれ、前述した光学部材（ここではインテグレータ４０）の光軸（ここではｚ軸方向）と直交する面内（ここではｘｙ面内）における短軸方向（ここではｙ軸方向）と略一致（好ましくは一致）しているのが望ましい。換言すると、各発光スポット１１Ｂから発せられる光のＦＦＰの短軸方向が、プロジェクタ１の装置外形（例えば矩形状の筐体）における短軸方向と略一致（好ましくは一致）しているのが望ましい。また、上記した光源が互いに異なる２以上の波長帯の光を発する光源である場合には、各発光スポット１１Ｂから発せられる光のＦＦＰの長軸方向が、これらの２以上の波長帯間で互いに略一致（好ましくは一致）しているのが望ましい。
【００４９】
具体的には、図１６（Ａ）に示した例では、上記した光源において、ＬＤからなる２つのチップ１１Ａ−１，１１Ａ−２が設けられ、それに伴い、活性層１１０を含む発光スポット（ニアーフィールドパターン；ＮＦＰ）１１Ｂ−１，１１Ｂ−２が設けられている。一方、図１６（Ｂ）（前述したモノリシック構造の例）に示した例では、上記した光源において、ＬＤからなる１つのチップ１１Ａが設けられると共に、このチップ１１Ａ内に２つの発光スポット１１Ｂ−１，１１Ｂ−２が設けられている。そして、ここでは発光スポット１１Ｂ−１，１１Ｂ−２では、同一の波長帯域の光、または互いに異なる２つの波長帯の光が発せられるものとする。この場合において、各発光スポット１１Ｂ−１，１１Ｂ−２から発せられる光におけるＦＦＰ（図中の符号Ｐ１１，Ｐ１２参照）の短軸方向（ここではｙ軸方向）がそれぞれ、インテグレータ４０の光軸と直交する面内における短軸方向（ここではｙ軸方向）と一致している。また、各発光スポット１１Ｂ−１，１１Ｂ−２から発せられる光におけるＦＦＰの長軸方向（ここではｘ軸方向）が、これらの発光スポット１１Ｂ−１，１１Ｂ−２間で互いに一致している。
【００５０】
（特徴部分その３）
更に、本実施の形態では、フライアイレンズ４０Ａの各セル４１によってフライアイレンズ４０Ｂに形成される各光源像Ｓのサイズがフライアイレンズ４０Ｂの１つのセル４２のサイズを超えない大きさとなるように、カップリングレンズ２０Ａ，２０Ｂ，２０Ｃ，２０Ｄの焦点距離と、フライアイレンズ４０Ａ、４０Ｂの焦点距離とが設定されていることが好ましい。これを式で表すと、以下の式（１）〜（４）のようになる。また、これを模式的に表すと、図１７のようになる。この図１７には、フライアイレンズ４０Ａ，４０Ｂの各セルが１以外の縦横比（アスペクト比）を有している場合が例示されている。なお、図１７については後に詳述する。
ｈ1＝Ｐ1×（ｆFEL／ｆCL1）≦ｈFEL2…（１）
ｈ2＝Ｐ2×（ｆFEL／ｆCL2）≦ｈFEL2…（２）
ｈ3＝Ｐ3×（ｆFEL／ｆCL3）≦ｈFEL2…（３）
ｈ4＝Ｐ4×（ｆFEL／ｆCL4）≦ｈFEL2…（４）
ここで、
ｈ1：光源１０Ａの光によって形成される光源像Ｓ（光源像Ｓ1）のサイズ
ｈ2：光源１０Ｂの光によって形成される光源像Ｓ（光源像Ｓ2）のサイズ
ｈ3：光源１０Ｃの光によって形成される光源像Ｓ（光源像Ｓ3）のサイズ
ｈ4：光源１０Ｄの光によって形成される光源像Ｓ（光源像Ｓ4）のサイズ
Ｐ1：光源１０Ａに含まれる固体発光素子１１の光射出領域のサイズ
Ｐ2：光源１０Ｂに含まれる固体発光素子１１の光射出領域のサイズ
Ｐ3：光源１０Ｃに含まれる固体発光素子１１の光射出領域のサイズ
Ｐ4：光源１０Ｄに含まれる固体発光素子１１の光射出領域のサイズ
ｆFEL：フライアイレンズ４０Ａ，４０Ｂの焦点距離
ｆCL1：カップリングレンズ２０Ａの焦点距離
ｆCL2：カップリングレンズ２０Ｂの焦点距離
ｆCL3：カップリングレンズ２０Ｃの焦点距離
ｆCL4：カップリングレンズ２０Ｄの焦点距離
ｈFEL2：フライアイレンズ４０Ｂの１つのセル４２のサイズ
【００５１】
なお、光源１０Ａに含まれる固体発光素子１１が単一のチップ１１Ａからなる場合には、Ｐ1は、そのチップ１１Ａの発光スポット１１Ｂのサイズに等しい。同様に、光源１０Ｂに含まれる固体発光素子１１が単一のチップ１１Ａからなる場合には、Ｐ2は、そのチップ１１Ａの発光スポット１１Ｂのサイズに等しく、光源１０Ｃに含まれる固体発光素子１１が単一のチップ１１Ａからなる場合には、Ｐ3は、そのチップ１１Ａの発光スポット１１Ｂのサイズに等しく、光源１０Ｄに含まれる固体発光素子１１が単一のチップ１１Ａからなる場合には、Ｐ4は、そのチップ１１Ａの発光スポット１１Ｂのサイズに等しい。光源１０Ａに含まれる固体発光素子１１が複数のチップ１１Ａからなる場合には、Ｐ1は、最小面積で全てのチップ１１Ａの発光スポット１１Ｂを囲ったときのその囲いのサイズに等しい。同様に、光源１０Ｂに含まれる固体発光素子１１が複数のチップ１１Ａからなる場合には、Ｐ2は、最小面積で全てのチップ１１Ａの発光スポット１１Ｂを囲ったときのその囲いのサイズに等しい。光源１０Ｃに含まれる固体発光素子１１が複数のチップ１１Ａからなる場合には、Ｐ3は、最小面積で全てのチップ１１Ａの発光スポット１１Ｂを囲ったときのその囲いのサイズに等しい。光源１０Ｄに含まれる固体発光素子１１が複数のチップ１１Ａからなる場合には、Ｐ4は、最小面積で全てのチップ１１Ａの発光スポット１１Ｂを囲ったときのその囲いのサイズに等しい。また、カップリングレンズ２０Ａが複数のレンズによって構成されている場合には、ｆCL1は、各レンズの合成焦点距離とする。同様に、カップリングレンズ２０Ｂが複数のレンズによって構成されている場合には、ｆCL2は、各レンズの合成焦点距離とする。カップリングレンズ２０Ｃが複数のレンズによって構成されている場合には、ｆCL3は、各レンズの合成焦点距離とする。カップリングレンズ２０Ｄが複数のレンズによって構成されている場合には、ｆCL4は、各レンズの合成焦点距離とする。
【００５２】
ここで、上記の式（１）〜（４）とおおよそ等価な式として、以下の式（５）〜（８）を挙げることができる。式（５）〜（８）は、固体発光素子１１の光射出領域のサイズが固体発光素子１１のサイズと概ね等しい場合に特に有益である。
ｈ1＝Ｗ1×（ｆFEL／ｆCL1）≦ｈFEL2…（５）
ｈ2＝Ｗ2×（ｆFEL／ｆCL2）≦ｈFEL2…（６）
ｈ3＝Ｗ3×（ｆFEL／ｆCL3）≦ｈFEL2…（７）
ｈ4＝Ｗ4×（ｆFEL／ｆCL4）≦ｈFEL2…（８）
ここで、
Ｗ1：光源１０Ａに含まれる固体発光素子１１のサイズ
Ｗ2：光源１０Ｂに含まれる固体発光素子１１のサイズ
Ｗ3：光源１０Ｃに含まれる固体発光素子１１のサイズ
Ｗ4：光源１０Ｄに含まれる固体発光素子１１のサイズ
【００５３】
なお、固体発光素子１１が単一のチップ１１Ａからなる場合には、Ｗは、そのチップ１１Ａのサイズに等しい。また、固体発光素子１１が複数のチップ１１Ａからなる場合には、Ｗは、全てのチップ１１Ａを単一のチップとしてみたときの、そのチップのサイズに等しい。
【００５４】
ところで、本実施の形態において、例えば、図１４（Ａ），（Ｂ）に示したように、フライアイレンズ４０Ａ，４０Ｂの各セル４１，４２が１以外の縦横比（アスペクト比）を有している場合には、カップリングレンズ２０Ａ，２０Ｂ，２０Ｃ，２０Ｄの焦点距離と、フライアイレンズ４０Ａ、４０Ｂの焦点距離とが以下の８つの関係式を満たしていることが好ましい。さらに、カップリングレンズ２０Ａ，２０Ｂ，２０Ｃ，２０Ｄの縦横の焦点距離の比（ｆCL1H／ｆCL1V，ｆCL2H／ｆCL2V，ｆCL3H／ｆCL3V，ｆCL4H／ｆCL4V）（アナモフィック比）と、フライアイレンズ４０Ｂの各セル４２のサイズの縦横比の逆数（ｈFEL2V／ｈFEL2H）とを互いに等しくし、照明光学系１Ａをアナモフィック光学系とすることがより好ましい。例えば、フライアイレンズ４０Ｂの各セル４２が第１の方向（例えば横方向）に長い形状となっている場合には、カップリングレンズ２０Ａ，２０Ｂ，２０Ｃ，２０Ｄとして、焦点距離ｆCL1V，ｆCL2V，ｆCL3V，ｆCL4Vが焦点距離ｆCL1H，ｆCL2H，ｆCL3H，ｆCL4Hよりも長いものを用いる。以下の式（９）〜（１６）を模式的に表すと、図１７のようになる。
ｈ1H＝Ｐ1H×（ｆFELH／ｆCL1H）≦ｈFEL2H…（９）
ｈ2H＝Ｐ2H×（ｆFELH／ｆCL2H）≦ｈFEL2H…（１０）
ｈ3H＝Ｐ3H×（ｆFELH／ｆCL3H）≦ｈFEL2H…（１１）
ｈ4H＝Ｐ4H×（ｆFELH／ｆCL4H）≦ｈFEL2H…（１２）
ｈ1V＝Ｐ1V×（ｆFELV／ｆCL1V）≦ｈFEL2V…（１３）
ｈ2V＝Ｐ2V×（ｆFELV／ｆCL2V）≦ｈFEL2V…（１４）
ｈ3V＝Ｐ3V×（ｆFELV／ｆCL3V）≦ｈFEL2V…（１５）
ｈ4V＝Ｐ4V×（ｆFELV／ｆCL4V）≦ｈFEL2V…（１６）
ここで、
ｈ1H：光源１０Ａの光によって形成される光源像Ｓ（光源像Ｓ1）の第１の方向（例えば横方向）のサイズ
ｈ2H：光源１０Ｂの光によって形成される光源像Ｓ（光源像Ｓ2）の第１の方向（例えば横方向）のサイズ
ｈ3H：光源１０Ｃの光によって形成される光源像Ｓ（光源像Ｓ3）の第１の方向（例えば横方向）のサイズ
ｈ4H：光源１０Ｄの光によって形成される光源像Ｓ（光源像Ｓ4）の第１の方向（例えば横方向）のサイズ
ｈ1V：光源１０Ａの光によって形成される光源像Ｓ（光源像Ｓ1）の、第１の方向と直交する第２の方向（例えば縦方向）のサイズ
ｈ2V：光源１０Ｂの光によって形成される光源像Ｓ（光源像Ｓ2）の、第１の方向と直交する第２の方向（例えば縦方向）のサイズ
ｈ3V：光源１０Ｃの光によって形成される光源像Ｓ（光源像Ｓ3）の、第１の方向と直交する第２の方向（例えば縦方向）のサイズ
ｈ4V：光源１０Ｄの光によって形成される光源像Ｓ（光源像Ｓ4）の、第１の方向と直交する第２の方向（例えば縦方向）のサイズ
Ｐ1H：光源１０Ａに含まれる固体発光素子１１の光射出領域の、第１の方向またはそれに対応する方向のサイズ
Ｐ2H：光源１０Ｂに含まれる固体発光素子１１の光射出領域の、第１の方向またはそれに対応する方向のサイズ
Ｐ3H：光源１０Ｃに含まれる固体発光素子１１の光射出領域の、第１の方向またはそれに対応する方向のサイズ
Ｐ4H：光源１０Ｄに含まれる固体発光素子１１の光射出領域の、第１の方向またはそれに対応する方向のサイズ
Ｐ1V：光源１０Ａに含まれる固体発光素子１１の光射出領域の、第２の方向またはそれに対応する方向のサイズ
Ｐ2V：光源１０Ｂに含まれる固体発光素子１１の光射出領域の、第２の方向またはそれに対応する方向のサイズ
Ｐ3V：光源１０Ｃに含まれる固体発光素子１１の光射出領域の、第２の方向またはそれに対応する方向のサイズ
Ｐ4V：光源１０Ｄに含まれる固体発光素子１１の光射出領域の、第２の方向またはそれに対応する方向のサイズ
ｆFELH：フライアイレンズ４０Ａ，４０Ｂの第１の方向の焦点距離
ｆFELV：フライアイレンズ４０Ａ，４０Ｂの第２の方向の焦点距離
ｆCL1H：カップリングレンズ２０Ａの、第１の方向またはそれに対応する方向の焦点距離
ｆCL2H：カップリングレンズ２０Ｂの、第１の方向またはそれに対応する方向の焦点距離
ｆCL3H：カップリングレンズ２０Ｃの、第１の方向またはそれに対応する方向の焦点距離
ｆCL4H：カップリングレンズ２０Ｄの、第１の方向またはそれに対応する方向の焦点距離
ｆCL1V：カップリングレンズ２０Ａの、第２の方向またはそれに対応する方向の焦点距離
ｆCL2V：カップリングレンズ２０Ｂの、第２の方向またはそれに対応する方向の焦点距離
ｆCL3V：カップリングレンズ２０Ｃの、第２の方向またはそれに対応する方向の焦点距離
ｆCL4V：カップリングレンズ２０Ｄの、第２の方向またはそれに対応する方向の焦点距離
ｈFEL2H：フライアイレンズ４０Ｂの１つのセル４２の第１の方向のサイズ
ｈFEL2V：フライアイレンズ４０Ｂの１つのセル４２の第２の方向のサイズ
【００５５】
ここで、「第１の方向またはそれに対応する方向」は、光源１０Ａ，１０Ｂ，１０Ｃ，１０Ｄ、カップリングレンズ２０Ａ，２０Ｂ，２０Ｃ，２０Ｄがインテグレータ４０の光軸上に配置されている場合には第１の方向を指している。また、「第１の方向またはそれに対応する方向」は、光源１０Ａ，１０Ｂ，１０Ｃ，１０Ｄ、カップリングレンズ２０Ａ，２０Ｂ，２０Ｃ，２０Ｄがインテグレータ４０の光軸から外れた光路上に配置されている場合には、光源１０Ａ，１０Ｂ，１０Ｃ，１０Ｄからインテグレータ４０までの光路上に配置された光学素子のレイアウトの関係から第１の方向に対応する方向を指している。
【００５６】
また、「第２の方向またはそれに対応する方向」は、光源１０Ａ，１０Ｂ，１０Ｃ，１０Ｄ、カップリングレンズ２０Ａ，２０Ｂ，２０Ｃ，２０Ｄがインテグレータ４０の光軸上に配置されている場合には第２の方向を指している。また、「第２の方向またはそれに対応する方向」は、光源１０Ａ，１０Ｂ，１０Ｃ，１０Ｄ、カップリングレンズ２０Ａ，２０Ｂ，２０Ｃ，２０Ｄがインテグレータ４０の光軸から外れた光路上に配置されている場合には、光源１０Ａ，１０Ｂ，１０Ｃ，１０Ｄからインテグレータ４０までの光路上に配置された光学素子のレイアウトの関係から第２の方向に対応する方向を指している。
【００５７】
なお、光源１０Ａに含まれる固体発光素子１１が単一のチップ１１Ａからなる場合には、Ｐ1Hは、そのチップ１１Ａの発光スポット１１Ｂの第１の方向またはそれに対応する方向のサイズに等しい。同様に、光源１０Ｂに含まれる固体発光素子１１が単一のチップ１１Ａからなる場合には、Ｐ2Hは、そのチップ１１Ａの発光スポット１１Ｂの第１の方向またはそれに対応する方向のサイズに等しい。光源１０Ｃに含まれる固体発光素子１１が単一のチップ１１Ａからなる場合には、Ｐ3Hは、そのチップ１１Ａの発光スポット１１Ｂの第１の方向またはそれに対応する方向のサイズに等しい。光源１０Ｄに含まれる固体発光素子１１が単一のチップ１１Ａからなる場合には、Ｐ4Hは、そのチップ１１Ａの発光スポット１１Ｂの第１の方向またはそれに対応する方向のサイズに等しい。また、光源１０Ａに含まれる固体発光素子１１が複数のチップ１１Ａからなる場合には、Ｐ1Hは、最小面積で全てのチップ１１Ａの発光スポット１１Ｂを囲ったときのその囲いの、第１の方向またはそれに対応する方向のサイズに等しい。同様に、光源１０Ｂに含まれる固体発光素子１１が複数のチップ１１Ａからなる場合には、Ｐ2Hは、最小面積で全てのチップ１１Ａの発光スポット１１Ｂを囲ったときのその囲いの、第１の方向またはそれに対応する方向のサイズに等しい。光源１０Ｃに含まれる固体発光素子１１が複数のチップ１１Ａからなる場合には、Ｐ3Hは、最小面積で全てのチップ１１Ａの発光スポット１１Ｂを囲ったときのその囲いの、第１の方向またはそれに対応する方向のサイズに等しい。光源１０Ｄに含まれる固体発光素子１１が複数のチップ１１Ａからなる場合には、Ｐ4Hは、最小面積で全てのチップ１１Ａの発光スポット１１Ｂを囲ったときのその囲いの、第１の方向またはそれに対応する方向のサイズに等しい。一方、光源１０Ａに含まれる固体発光素子１１が単一のチップ１１Ａからなる場合には、Ｐ1Vは、そのチップ１１Ａの発光スポット１１Ｂの第２の方向またはそれに対応する方向のサイズに等しい。同様に、光源１０Ｂに含まれる固体発光素子１１が単一のチップ１１Ａからなる場合には、Ｐ2Vは、そのチップ１１Ａの発光スポット１１Ｂの第２の方向またはそれに対応する方向のサイズに等しい。光源１０Ｃに含まれる固体発光素子１１が単一のチップ１１Ａからなる場合には、Ｐ3Vは、そのチップ１１Ａの発光スポット１１Ｂの第２の方向またはそれに対応する方向のサイズに等しい。光源１０Ｄに含まれる固体発光素子１１が単一のチップ１１Ａからなる場合には、Ｐ4Vは、そのチップ１１Ａの発光スポット１１Ｂの第２の方向またはそれに対応する方向のサイズに等しい。また、光源１０Ａに含まれる固体発光素子１１が複数のチップ１１Ａからなる場合には、Ｐ1Vは、最小面積で全てのチップ１１Ａの発光スポット１１Ｂを囲ったときのその囲いの、第２の方向またはそれに対応する方向のサイズに等しい。同様に、光源１０Ｂに含まれる固体発光素子１１が複数のチップ１１Ａからなる場合には、Ｐ2Vは、最小面積で全てのチップ１１Ａの発光スポット１１Ｂを囲ったときのその囲いの、第２の方向またはそれに対応する方向のサイズに等しい。光源１０Ｃに含まれる固体発光素子１１が複数のチップ１１Ａか��なる場合には、Ｐ3Vは、最小面積で全てのチップ１１Ａの発光スポット１１Ｂを囲ったときのその囲いの、第２の方向またはそれに対応する方向のサイズに等しい。光源１０Ｄに含まれる固体発光素子１１が複数のチップ１１Ａからなる場合には、Ｐ4Vは、最小面積で全てのチップ１１Ａの発光スポット１１Ｂを囲ったときのその囲いの、第２の方向またはそれに対応する方向のサイズに等しい。
【００５８】
また、本実施の形態において、フライアイレンズ４０Ａ，４０Ｂの各セル４１，４２が１以外の縦横比を有している場合には、フライアイレンズ４０Ａの各セル４１のサイズの縦横比と、照明範囲６０Ａの縦横比とが以下の関係式（式（１７））を満たしていることが好ましい。ここで、照明範囲６０Ａの縦横比Ｈ／Ｖ（図１８参照）は、空間変調素子６０の解像度と相関を有しており、例えば、空間変調素子６０の解像度がＶＧＡ（６４０×４８０）である場合には６４０／４８０となっており、例えば、空間変調素子６０の解像度がＷＶＧＡ（８００×４８０）である場合には８００／４８０となっている。
ｈFEL1H／ｈFEL1V＝Ｈ／Ｖ…（１８）
ここで、
ｈFEL1H：フライアイレンズ４０Ａの１セルの第１の方向のサイズ
ｈFEL1V：フライアイレンズ４０Ａの１セルの第２の方向のサイズ
Ｈ：照明範囲６０Ａの第１の方向のサイズ
Ｖ：照明範囲６０Ａの第２の方向のサイズ
【００５９】
（特徴部分その４）
加えて、本実施の形態では、カップリングレンズ２０Ａ，２０Ｂ，２０Ｃ，２０Ｄに入射する光のビームサイズが２０Ａ，２０Ｂ，２０Ｃ，２０Ｄのサイズを超えない大きさとなるように、カップリングレンズ２０Ａ，２０Ｂ，２０Ｃ，２０Ｄの焦点距離および開口数が設定されていることが好ましい。これを式で表すと、以下の式（１９）〜（２２）のようになる。
φCL1＝２×ｆCL1×ＮＡ1≦ｈCL1…（１９）
φCL2＝２×ｆCL2×ＮＡ2≦ｈCL2…（２０）
φCL3＝２×ｆCL3×ＮＡ3≦ｈCL3…（２１）
φCL4＝２×ｆCL4×ＮＡ4≦ｈCL4…（２２）
ここで、
φCL1：カップリングレンズ２０Ａに入射する光のビームサイズ
φCL2：カップリングレンズ２０Ｂに入射する光のビームサイズ
φCL3：カップリングレンズ２０Ｃに入射する光のビームサイズ
φCL4：カップリングレンズ２０Ｄに入射する光のビームサイズ
ＮＡ1：カップリングレンズ２０Ａの開口数
ＮＡ2：カップリングレンズ２０Ｂの開口数
ＮＡ3：カップリングレンズ２０Ｃの開口数
ＮＡ4：カップリングレンズ２０Ｄの開口数
ｈCL1：カップリングレンズ２０Ａのサイズ
ｈCL2：カップリングレンズ２０Ｂのサイズ
ｈCL3：カップリングレンズ２０Ｃのサイズ
ｈCL4：カップリングレンズ２０Ｄのサイズ
【００６０】
ところで、本実施の形態において、カップリングレンズ２０Ａ，２０Ｂ，２０Ｃ，２０Ｄが１以外の縦横比（アスペクト比）を有している場合には、カップリングレンズ２０Ａ，２０Ｂ，２０Ｃ，２０Ｄの焦点距離および開口数が、以下の関係式（式（２３）〜（３０））を満たしていることが好ましい。
φCL1H＝２×ｆCL1H×ＮＡ1H≦ｈCL1H…（２３）
φCL2H＝２×ｆCL2H×ＮＡ2H≦ｈCL2H…（２４）
φCL3H＝２×ｆCL3H×ＮＡ3H≦ｈCL3H…（２５）
φCL4H＝２×ｆCL4H×ＮＡ4H≦ｈCL4H…（２６）
φCL1V＝２×ｆCL1V×ＮＡ1V≦ｈCL1V…（２７）
φCL2V＝２×ｆCL2V×ＮＡ2V≦ｈCL2V…（２８）
φCL3V＝２×ｆCL3V×ＮＡ3V≦ｈCL3V…（２９）
φCL4V＝２×ｆCL4V×ＮＡ4V≦ｈCL4V…（３０）
ここで、
φCL1H：カップリングレンズ２０Ａに入射する光の、第１の方向（例えば横方向）またはそれに対応する方向のビームサイズ
φCL2H：カップリングレンズ２０Ｂに入射する光の、第１の方向（例えば横方向）またはそれに対応する方向のビームサイズ
φCL3H：カップリングレンズ２０Ｃに入射する光の、第１の方向（例えば横方向）またはそれに対応する方向のビームサイズ
φCL4H：カップリングレンズ２０Ｄに入射する光の、第１の方向（例えば横方向）またはそれに対応する方向のビームサイズ
φCL1V：カップリングレンズ２０Ａに入射する光の、第２の方向（例えば縦方向）またはそれに対応する方向のビームサイズ
φCL2V：カップリングレンズ２０Ｂに入射する光の、第２の方向（例えば縦方向）またはそれに対応する方向のビームサイズ
φCL3V：カップリングレンズ２０Ｃに入射する光の、第２の方向（例えば縦方向）またはそれに対応する方向のビームサイズ
φCL4V：カップリングレンズ２０Ｄに入射する光の、第２の方向（例えば縦方向）またはそれに対応する方向のビームサイズ
ＮＡ1H：カップリングレンズ２０Ａの、第１の方向またはそれに対応する方向の開口数
ＮＡ2H：カップリングレンズ２０Ｂの、第１の方向またはそれに対応する方向の開口数
ＮＡ3H：カップリングレンズ２０Ｃの、第１の方向またはそれに対応する方向の開口数
ＮＡ4H：カップリングレンズ２０Ｄの、第１の方向またはそれに対応する方向の開口数
ＮＡ1V：カップリングレンズ２０Ａの、第２の方向またはそれに対応する方向の開口数
ＮＡ2V：カップリングレンズ２０Ｂの、第２の方向またはそれに対応する方向の開口数
ＮＡ3V：カップリングレンズ２０Ｃの、第２の方向またはそれに対応する方向の開口数
ＮＡ4V：カップリングレンズ２０Ｄの、第２の方向またはそれに対応する方向の開口数
ｈCL1H：カップリングレンズ２０Ａの、第１の方向またはそれに対応する方向のサイズ
ｈCL2H：カップリングレンズ２０Ｂの、第１の方向またはそれに対応する方向のサイズ
ｈCL3H：カップリングレンズ２０Ｃの、第１の方向またはそれに対応する方向のサイズ
ｈCL4H：カップリングレンズ２０Ｄの、第１の方向またはそれに対応する方向のサイズ
ｈCL1V：カップリングレンズ２０Ａの、第２の方向またはそれに対応する方向のサイズ
ｈCL2V：カップリングレンズ２０Ｂの、第２の方向またはそれに対応する方向のサイズ
ｈCL3V：カップリングレンズ２０Ｃの、第２の方向またはそれに対応する方向のサイズ
ｈCL4V：カップリングレンズ２０Ｄの、第２の方向またはそれに対応する方向のサイズ
【００６１】
［プロジェクタ１の作用・効果］
次に、本実施の形態のプロジェクタ１の作用・効果について説明する。
【００６２】
まず、本実施の形態では、例えば図１５（Ａ），（Ｂ）に示したように、光源１０Ａ，１０Ｂ，１０Ｃ，１０Ｄ全体として、互いに異なる２以上の波長帯の光（ここでは、３つの波長帯の光である赤色光，緑色光，青色光）が発せられるように、発光スポット１１Ｂが３つ以上設けられている。そして、これらの光源１０Ａ，１０Ｂ，１０Ｃのうちの２以上の光源（ここでは、２つの光源１０Ａ，１０Ｄ）間で、同一の波長帯の光（ここでは、赤色光、緑色光または青色光）が発せられる発光スポット１１Ｂが設けられている。
【００６３】
ここで、プロジェクタでは一般に、赤色光，緑色光，青色光の３原色光を用いてカラー表示がなされる。ところが、これらの各原色光を発するデバイス（固体発光素子内のチップ）では、色ごとに発光強度（輝度）が異なっている場合があり、その場合、従来では照明装置（照明光学系）からの照明光全体としての輝度向上を図るのが困難であった。これは、例えば上記３原色のうちの１色（例えば緑色光）の発光強度が他の２色（例えば赤色光，青色光）の発光強度と比べて相対的に低い場合、照明光全体としてのホワイトバランスを調整しようとすると、相対的に低いほうの発光強度を基準に合わせ込まざるを得ないからである。
【００６４】
これに対して本実施の形態では、光源１０Ａ，１０Ｂ，１０Ｃ，１０Ｄが上記した構成となっていることにより、照明光学系１Ａから２以上の波長帯の光（ここでは赤色光，緑色光，青色光）を照明光として出射する際に、各波長帯の光同士での発光強度が調整可能となる。したがって、従来のように、照明光全体としてのホワイトバランスを調整する場合に、相対的に発光強度が低いものを基準とすることを回避することができ、照明光の輝度を向上させることが可能となる。
【００６５】
また、本実施の形態において、例えば図１６（Ａ），（Ｂ）に示したように、光源１０Ａ，１０Ｂ，１０Ｃ，１０Ｄのうちの少なくとも１つの光源において、ＬＤからなるチップ１１Ａにおける発光スポット１１Ｂが複数設けられている場合に、以下のように構成したときには、以下の作用・効果が生じる。すなわち、まず、各発光スポット１１Ｂから発せられる光におけるＦＦＰの短軸方向がそれぞれ、インテグレータ４０の光軸と直交する面内における短軸方向と略一致するようにした場合には、プロジェクタ１の装置外形における短軸方向と上記ＦＦＰの短軸方向とが略一致することになるため、プロジェクタ１全体の更なる小型化を図ることが可能となる。また、上記した光源が互いに異なる２以上の波長帯の光を発する光源である場合において、各発光スポット１１Ｂから発せられる光のＦＦＰの長軸方向がこれらの２以上の波長帯間で互いに略一致するようにした場合には、例えばＩカット形状のレンズを用いた場合などにおいて、光損失が低減される。具体的には、Ｉカット形状のレンズを用いた場合、Ｉカットされる部分では光学的有効範囲が犠牲になるものの、ＬＤの放射角度の長軸方向をＩカットする方向（有効径が広い方向）に合わせることにより、光損失を低減することができる。
【００６６】
更に、本実施の形態において、例えば図１７に示したように、フライアイレンズ４０Ａの各セル４１によってフライアイレンズ４０Ｂに形成される各光源像Ｓのサイズがフライアイレンズ４０Ｂの１つのセル４２のサイズを超えない大きさとなるように、カップリングレンズ２０Ａ，２０Ｂ，２０Ｃ，２０Ｄの焦点距離ｆCL1，ｆCL2，ｆCL3，ｆCL4と、フライアイレンズ４０Ａ，４０Ｂの焦点距離ｆFELとを設定するようにした場合には、以下の作用・効果が生じる。ここで、固体発光素子１１は、単一もしくは複数の点状、または単一もしくは複数の非点状の発光スポットからなる光射出領域から光を発するものであり、例えば、１もしくは複数の発光ダイオード、１もしくは複数の有機ＥＬ発光素子、または１もしくは複数のレーザダイオードによって構成されている。そのため、フライアイレンズ４０Ｂがフライアイレンズ４０Ａの焦点位置に配置されている場合であっても、フライアイレンズ４０Ａの各セルによってフライアイレンズ４０Ｂに形成される各光源像Ｓが点状ではなく、ある程度の大きさを持っている（図１７参照）。しかし、本実施の形態では、１つの光源像Ｓが複数のセルにまたがって形成されることがないので、フライアイレンズ４０Ｂに入射した光が効率良く照明範囲にまで到達する。よって、照明光学系１Ａにおける光利用効率を改善することができる。
【００６７】
加えて、本実施の形態において、フライアイレンズ４０Ａ，４０Ｂの各セルが１以外の縦横比を有している場合に、その縦横比を考慮して、カップリングレンズ２０Ａ，２０Ｂ，２０Ｃ，２０Ｄの焦点距離ｆCL1H，ｆCL2H，ｆCL3H，ｆCL4H，ｆCL1V，ｆCL2V，ｆCL3V，ｆCL4Vと、フライアイレンズ４０Ａ，４０Ｂの焦点距離ｆFELH，ｆFELVとを設定するようにした場合には、照明光学系１Ａにおける光利用効率をさらに改善することができる。また、本実施の形態において、カップリングレンズ２０Ａ，２０Ｂ，２０Ｃ，２０Ｄが１以外の縦横比を有している場合に、その縦横比を考慮して、カップリングレンズ２０Ａ，２０Ｂ，２０Ｃ，２０Ｄの焦点距離ｆCL1H，ｆCL2H，ｆCL3H，ｆCL4H，ｆCL1V，ｆCL2V，ｆCL3V，ｆCL4Vおよび開口数ＮＡ1H，ＮＡ2H，ＮＡ3H，ＮＡ4H，ＮＡ1V，ＮＡ2V，ＮＡ3V，ＮＡ4Vを設定するようにした場合には、照明光学系１Ａにおける光利用効率をさらに改善することができる。また、本実施の形態において、光源１０Ａ，１０Ｂ，１０Ｃ，１０Ｄの指向角がそれぞれ異なる場合に、それぞれの指向角を考慮して、カップリングレンズ２０Ａ，２０Ｂ，２０Ｃ，２０Ｄの焦点距離ｆCL1H，ｆCL2H，ｆCL3H，ｆCL4H，ｆCL1V，ｆCL2V，ｆCL3V，ｆCL4Vおよび開口数ＮＡ1H，ＮＡ2H，ＮＡ3H，ＮＡ4H，ＮＡ1V，ＮＡ2V，ＮＡ3V，ＮＡ4Vをそれぞれ設定するようにした場合には、照明光学系１Ａにおける光利用効率をさらに改善することができる。
【００６８】
続いて、本発明の他の実施の形態（第２，第３の実施の形態）について説明する。なお、上記第１の実施の形態における構成要素と同一のものには同一の符号を付し、適宜説明を省略する。
【００６９】
＜第２の実施の形態＞
図１９は、第２の実施の形態に係るプロジェクタに適用される光源ユニット（光源ユニット１０−２）および位相差板アレイ９０の構成例を表したものである。具体的には、図１９（Ａ），（Ｂ）は、本実施の形態の光源ユニット１０−２の詳細構成例を示し、図１９（Ｃ）は、本実施の形態の位相差板アレイ９０の構成例を示す。本実施の形態のプロジェクタは、上記第１の実施の形態の照明光学系１において、光源ユニット１０−１の代わりに光源ユニット１０−２を設けると共に、位相差板アレイ９０を更に設けるようにしたものである。
【００７０】
光源ユニット１０−２は、例えば図１９（Ａ）に示したように、光源１０Ａ，１０Ｄと、カップリングレンズ２０Ａ，２０Ｄと、偏光ビームスプリッタ３０Ｄとを有している。あるいは、光源ユニット１０−２は、例えば図１９（Ｂ）に示したように、光源１０Ａ，１０Ｄと、偏光ビームスプリッタ３０Ｄと、カップリングレンズ２０Ｅとを有している。このカップリングレンズ２０Ｅは、光源１０Ａ，１０Ｄから発せられて偏光ビームスプリッタ３０Ｄを介して入射した光をそれぞれ略平行光化するものであり、光源１０Ａ，１０Ｄから発せられた光の指向角（θH，θV）を、平行光の指向角と等しくなるように、またはそれに近づくように変換するものである。また、位相差板アレイ９０は、例えば図１９（Ｃ）に示したように、インテグレータ４０とコンデンサレンズ５０（または前述した照明範囲６０Ａ）との間に設けられている。本実施の形態では、フライアイレンズ４０Ｂは、フライアイレンズ４０Ａの焦点位置の手前に配置されており、位相差板アレイ９０が、フライアイレンズ４０Ａの焦点位置（または略焦点位置）に配置されている。なお、偏光ビームスプリッタ３０Ｄと位相差板アレイ９０とが、本発明の「光路合成部」の一具体例に相当し、偏光ビームスプリッタ３０Ｄが本発明の「偏光分離素子」の一具体例に相当する。
【００７１】
偏光ビームスプリッタ３０Ｄは、入射する光の偏光に対して異方性を有する光学素子であり、光源１０Ａ，１０Ｄから入射する光をそれぞれ、Ｓ偏光成分とＰ偏光成分との進行方向が異なるように分離（例えば反射）するものである。具体的には、例えば図２０に示したように、偏光ビームスプリッタ３０Ｄは、光源１０Ａから入射した光に含まれるＰ偏光成分の光（Ｐ偏光Ｌｐ）を、入射角と射出角とが互いに等しく（またはほぼ等しく）なるように選択透過させるようになっている。また、偏光ビームスプリッタ３０Ｄは、光源１０Ｄから入射した光に含まれるＳ偏光成分の光（Ｓ偏光Ｌｓ）を、入射角と射出角とが互いに異なるように選択反射させるようになっている。ここで、偏光ビームスプリッタ３０Ｄから射出されたＰ偏光Ｌｐの進行方向とＳ偏光Ｌｓの進行方向とは、この偏光ビームスプリッタ３０Ｄの法線（光軸）との関係で互いに反対方向を向いており、かつ、この法線（光軸）との関係で互いに線対称となる方向を向いていることが好ましい。
【００７２】
なお、この偏光ビームスプリッタ３０Ｄが、上記の例とは逆に、例えば、光源１０Ａから入射した光に含まれるＳ偏光成分の光を、入射角と射出角とが互いに等しく（またはほぼ等しく）なるように選択透過させるようになっていてもよい。この場合に、偏光ビームスプリッタ３０Ｄが、さらに、例えば、光源１０Ｄから入射した光に含まれるＰ偏光成分の光を、入射角と射出角とが互いに異なるように選択反射させるようになっていてもよい。
【００７３】
位相差板アレイ９０は、例えば図２１に示したように、位相差の互いに異なる第１領域９０Ａおよび第２領域９０Ｂを有している。第１領域９０Ａは、偏光ビームスプリッタ３０Ｄで分離されたＳ偏光成分（Ｓ偏光Ｌｓ）およびＰ偏光成分（Ｐ偏光Ｌｐ）のいずれか一方の偏光成分が入射する位置に配置されており、第１領域９０Ａへの入射光を、偏光方向を維持したまま透過するようになっている。一方、第２領域９０Ｂは、偏光ビームスプリッタ３０Ｄで分離されたＳ偏光成分（Ｓ偏光Ｌｓ）およびＰ偏光成分（Ｐ偏光Ｌｐ）のうち第１領域９０Ａに入射する偏光成分とは異なる偏光成分が入射する位置に配置されており、第２領域９０Ｂへの入射光を、第１領域９０Ａに入射する光の偏光と等しい偏光の光に変換するようになっている。これらの第１領域９０Ａおよび第２領域９０Ｂは、ともに、偏光ビームスプリッタ３０Ｄにおける分離（反射）方向と直交する方向に延在する帯状の形状となっており、かつ偏光ビームスプリッタ３０Ｄにおける分離（反射）方向と平行な方向に交互に配置されている。ここで、フライアイレンズ４０Ａ，４０Ｂの各セルが１以外の縦横比（アスペクト比）を有している場合には、第１領域９０Ａおよび第２領域９０Ｂはともに、フライアイレンズ４０Ａ，４０Ｂの長手方向と垂直な方向に延在していることが好ましい。
【００７４】
互いに隣り合う第１領域９０Ａおよび第２領域９０Ｂの合計の幅Λarrayは、例えば、フライアイレンズ４０Ｂの１つのセル４２の幅と等しくなっている。第１領域９０Ａおよび第２領域９０Ｂが、例えば図２１に示したように、横方向に配列されている場合には、幅Λarrayは、例えば、セル４２の横方向の幅（ｈFEL2H）と等しくなっている。第１領域９０Ａおよび第２領域９０Ｂが、図示しないが、縦方向に配列されている場合には、幅Λarrayは、例えば、セル４２の縦方向の幅（ｈFEL2V）と等しくなっている。第１領域９０Ａの幅ｈAWP1と、第２領域９０Ｂの幅ｈAWP2とは、例えば、互いに等しくなっている。
【００７５】
このような構成により光源ユニット１０−２では、例えば図２２に示したように、偏光ビームスプリッタム３０Ｄから射出されたＳ偏光Ｌｓは、インテグレータ４０で複数の微小光束となり、位相差板アレイ９０の第１領域９０Ａに入射する。そして、この第１領域９０Ａへ入射したＳ偏光Ｌｓは、その偏光方向を維持したまま、位相差板アレイ９０を透過して出射する。一方、偏光ビームスプリッタ３０Ｄから射出されたＰ偏光Ｌｐは、インテグレータ４０で複数の微小光束となり、位相差板アレイ９０の第２領域９０Ｂに入射する。そして、この第２領域９０Ｂへ入射したＰ偏光Ｌｐは、第１領域９０Ａに入射する光の偏光と等しい偏光の光（ここではＳ偏光Ｌｓ）に変換されたのち、位相差板アレイ９０から出射する。なお、この例とは逆に、第１領域９０Ａへ入射したＰ偏光Ｌｓが、その偏光方向を維持したまま位相差板アレイ９０を透過して出射すると共に、第２領域９０Ｂへ入射したＳ偏光ＬｓがＰ偏光Ｌｐに変換されたのち、位相差板アレイ９０から出射するようにしてもよい。いずれにしても、この位相差板アレイ９０からは、Ｐ偏光ＬｐおよびＳ偏光Ｌｓのいずれか一方の偏光（図２２の例ではＳ偏光Ｌｓ）の光が、主として射出されるようになっている。
【００７６】
また、このとき、偏光ビームスプリッタ３０Ｄから射出されたＳ偏光Ｌｓは、フライアイレンズ４０Ａで微小光束に分割され、分割された各光束が位相差板アレイ９０の第１領域９０Ａの近傍に焦点を結び、ここに２次光源面（光源像ＳA）を形成する（図２３参照）。同様に、偏光ビームスプリッタ３０Ｄから射出されたＰ偏光Ｌｐは、フライアイレンズ４０Ａで微小光束に分割され、分割された各光束が位相差板アレイ９０の第２領域９０Ｂの近傍に焦点を結び、ここに２次光源面（光源像ＳB）を形成する（図２３参照）。
【００７７】
このような構成の光源ユニット１０−２および位相差板アレイ９０を有する照明光学系を備えた本実施の形態のプロジェクタにおいても、上記第１の実施の形態のプロジェクタ１と同様の作用により、同様の効果を得ることが可能である。
【００７８】
＜変形例＞
続いて、上記第１および第２の実施の形態に共通の変形例（変形例１，２）について説明する。なお、これらの実施の形態における構成要素と同一のものには同一の符号を付し、適宜説明を省略する。
【００７９】
［変形例１］
図２４（Ａ），（Ｂ）は、変形例１に係るプロジェクタ（プロジェクタ３）の概略構成を表すものである。なお、このプロジェクタ３が、本発明の「投射型表示装置」の一具体例に相当する。ここで、図２４（Ａ）はプロジェクタ３を上から（ｙ軸方向から）見たときの構成例を表し、図２４（Ｂ）はプロジェクタ３を横から（ｘ軸方向から）見たときの構成例を表す。
【００８０】
本変形例のプロジェクタ３は、照明光学系３Ａを備えていると共に空間変調素子６０として反射型の素子を用いている点で、照明光学系１Ａを備えたプロジェクタ１の構成と相違する。そこで、以下では、プロジェクタ１との相違点について主に説明し、プロジェクタ１との共通点についての説明を適宜省略するものとする。なお、本変形例の照明光学系３Ａでは、光源ユニット１０−１，１０−２のどちらを設けるようにしてもよい。
【００８１】
照明光学系３Ａは、照明光学系１Ａにおいて、コンデンサレンズ５０の代わりにコンデンサレンズ５０Ａを設けるようにしたものである。このコンデンサレンズ５０Ａは、インテグレータ４０により形成された多光源からの光束を平行化し、偏光ビームスプリッタ５１を介してコンデンサレンズ５０Ｂへ照明させるレンズである。
【００８２】
また、本変形例では上記したように、空間変調素子６０が、例えば反射型の液晶パネル等の反射型の素子によって構成されている。したがって、プロジェクタ３はプロジェクタ１と比較して、コンデンサレンズ５０Ｂおよび偏光ビームスプリッタ５１を更に備えている。偏光ビームスプリッタ５１は、特定の偏光（例えばｐ偏光）を選択的に透過させると共に、他方の偏光（例えばｓ偏光）を選択的に反射させる光学部材である。また、空間変調素子６０は、入射時と出射時とにおける各偏光（例えば、ｓ偏光またはｐ偏光）が異なるものとなるように反射しつつ、光変調を行うようになっている。これにより、照明光学系３Ａ側から入射した光（例えばｓ偏光）が選択的に反射されて空間変調素子６０へ入射すると共に、この空間変調素子６０から出射した画像光（例えばｐ偏光）が選択的に透過し、投影光学系７０側へ入射するようになっている。コンデンサレンズ５０Ｂは、インテグレータ４０により形成され、コンデンサレンズ５０Ａおよび偏光ビームスプリッタ５１を介して入射した多光源からの光束を集光し、照明範囲６０Ａを重畳的に照明するレンズである。
【００８３】
このような構成からなる本変形例のプロジェクタ３においても、上記第１，第２の実施の形態のプロジェクタと同様の作用により、同様の効果を得ることが可能である。
【００８４】
また、特に本変形例では、インテグレータ４０の光軸と直交する面内（ｘｙ面内）のうち、ｘ軸方向が特に長くなっていることから、プロジェクタ３の装置外形における短軸方向（ｙ軸方向）と各発光スポット１１Ｂから発せられる光におけるＦＦＰの短軸方向とを一致させることにより、プロジェクタ３全体の小型化を図る利点が大きいと言える。
【００８５】
［変形例２］
図２５（Ａ），（Ｂ）は、変形例２に係るプロジェクタ（プロジェクタ４）の概略構成を表すものである。なお、このプロジェクタ４が、本発明の「投射型表示装置」の一具体例に相当する。ここで、図２５（Ａ）はプロジェクタ４を上から（ｙ軸方向から）見たときの構成例を表し、図２５（Ｂ）はプロジェクタ４を横から（ｘ軸方向から）見たときの構成例を表す。
【００８６】
本変形例のプロジェクタ４は、照明光学系４Ａを備えている点で、照明光学系１Ａを備えたプロジェクタ１の構成と相違する。そこで、以下では、プロジェクタ１との相違点について主に説明し、プロジェクタ１との共通点についての説明を適宜省略するものとする。なお、本変形例の照明光学系４Ａでは、光源ユニット１０−１，１０−２のどちらを設けるようにしてもよい。
【００８７】
照明光学系４Ａでは、照明光学系１Ａにおいて、インテグレータ４０およびコンデンサ５０を省いた（設けないようにした）構成となっている。すなわち、照明光学系４Ａは、光源ユニット１０−１（または光源ユニット１０−２）と、光源１０Ｂ，１０Ｃと、カップリングレンズ２０Ｂ，２０Ｃと、光路合成素子３０とを有している。
【００８８】
このように、場合によっては照明光学系内に、インテグレータ４０およびコンデンサ５０を設けないようにしてもよい。
【００８９】
［その他の変形例］
以上、実施の形態および変形例を挙げて本発明を説明したが、本発明はこれらの実施の形態等に限定されず、種々の変形が可能である。
【００９０】
例えば、上記実施の形態等では、照明光学系１Ａ，３Ａ，４Ａが、平行光をフライアイレンズ４０Ａに入射させる無限光学系を含んで構成されていたが、収束光（または発散光）をフライアイレンズ４０Ａに入射させる有限光学系を含んで構成されていてもよい。この場合には、上記実施の形態等において、カップリングレンズ２０Ａ〜２０Ｄの代わりに、光源１０Ａ〜１０Ｄから発せられた光を収束するか、または発散する機能を有する指向角変換素子を配置すればよい。ただし、この場合には、フライアイレンズ４０Ａの各セル４１によってフライアイレンズ４０Ｂに形成される各光源像Ｓのサイズがフライアイレンズ４０Ｂの１つのセル４２のサイズを超えない大きさとなるように、上記の指向角変換素子と、フライアイレンズ４０Ａ，４０Ｂとからなる光学系の光学倍率が設定されていることが好ましい。具体的には、上記の指向角変換素子と、フライアイレンズ４０Ａ，４０Ｂとからなる光学系の光学倍率が以下の関係式を満たすことが好ましい。なお、この場合においても、フライアイレンズ４０Ａ，４０Ｂの各セル４１，４２が１以外の縦横比（アスペクト比）を有している場合には、照明光学系１Ａ，３Ａ，４Ａが、アナモフィック光学系となっていることが好ましい。
ｈ＝Ｐ×ｍ≦ｈFEL2
ｍ：上記の指向角変換素子と、フライアイレンズ４０Ａ，４０Ｂとからなる光学系の光学倍率
【００９１】
また、上記実施の形態等では、本発明を、投射型表示装置に適用した場合について説明されていたが、他の表示装置に適用することももちろん可能である。例えば、図２６に示したように、本発明を、リアプロジェクション表示装置７に適用することが可能である。このリアプロジェクション表示装置７は、照明光学系１Ａ，３Ａ，４Ａを含むプロジェクタ１，３，４と、プロジェクタ１，３，４（投影光学系７０）から投射された画像光を映し出す透過型スクリーン８とを備えている。このように、リアプロジェクション表示装置７の照明光学系として、照明光学系１Ａ，３Ａ，４Ａを用いることにより、照明光（画像光，表示光）の輝度を向上させることができる。
【００９２】
更に、上記実施の形態等において説明した、照明光学系内の複数の光源における各色発光スポットの配置方法や発光スポットの発光色については、特に限定されず、用途や目的に応じて任意に設定することが可能である。そのように構成した場合であっても、上記各実施の形態と同様の作用により、同様の効果を得ることが可能である。例えば、図２７に示した例では、光源１０Ａ，１０Ｂにおいてそれぞれ、固体発光素子１１が２つの緑色発光スポット１１Ｂｇを有すると共に、光源１０Ｂにおいて固体発光素子１１が１つの青色発光スポット１１Ｂｂを更に有し、光源１０Ｃにおいて固体発光素子１１が１つの赤色発光スポット１１Ｂｒを有している。そして、前述した２以上の光源（ここでは２つの光源１０Ａ，１０Ｂ）からそれぞれ発せられる同一波長帯の光（ここでは緑色光）を合成する光路合成部が、光源ユニット１０−１または光源ユニット１０−２内に設けられている。つまり、この図２７に示した例では特に、上記した２以上の光源のうちの少なくとも１つの光源（ここでは２つの光源１０Ａ，１０Ｂ）において、固体発光素子１１が、同一の波長帯（ここでは緑色光の波長帯）とは異なる波長帯の光（ここでは青色光）が発せられる１または複数の発光スポット（ここでは１つの青色発光スポット１１Ｂｂ）を更に有している。
【００９３】
加えて、上記実施の形態等では、空間変調素子６０が透過型または反射型の素子によって構成されている場合について説明したが、これには限られず、例えば、空間変調素子６０がデジタルマイクロミラーデバイスによって構成されていてもよい。
【００９４】
また、上記実施の形態等では、照明光学系および表示装置の各構成要素（光学系）を具体的に挙げて説明したが、全ての構成要素を備える必要はなく、また、他の構成要素を更に備えていてもよい。
【００９５】
更に、上記実施の形態等では、本発明の照明装置の用途として、投射型等の表示装置を例に挙げて説明したが、これには限られず、例えばステッパ等の露光装置にも適用することが可能である。
【符号の説明】
【００９６】
１，３，４…プロジェクタ、１Ａ，３Ａ，４Ａ…照明光学系、２…スクリーン、７…リアプロジェクション表示装置、８…透過型スクリーン、１０Ａ，１０Ｂ，１０Ｃ、１０Ｄ…光源、１１…固体発光素子、１１Ａ，１１Ａ−１，１１Ａ−２…チップ、１１Ｂ，１１Ｂ−１，１１Ｂ−２…発光スポット、１１Ｂｒ…赤色発光スポット、１１Ｂｇ…緑色発光スポット、１１Ｂｂ…青色発光スポット、１２…パッケージ、１３…ステム、１３Ａ…支持基板、１３Ｂ…外枠基板、１３Ｃ…接続端子、１４…キャップ、１４Ａ…筒部、１４Ｂ…光透過部、１５…サブマウント、１６…ワイヤ、２０Ａ，２０Ｂ，２０Ｃ，２０Ｄ，２０Ｅ…カップリングレンズ、３０…光路合成素子、３０Ａ，３０Ｂ…ダイクロイックミラー、３０Ｃ…プリズム、３０Ｄ…偏光ビームスプリッタ、４０…インテグレータ、４０Ａ，４０Ｂ…フライアイレンズ、４１，４２…セル、５０，５０Ａ，５０Ｂ…コンデンサレンズ、５１…偏光ビームスプリッタ、６０…空間変調素子、６０Ａ…照明範囲、７０…投影光学系、９０…位相差板アレイ、９０Ａ…第１領域、９０Ｂ…第２領域。
【図１】
0005633695.tif 000002
【図２】
0005633695.tif 000003
【図３】
0005633695.tif 000004
【図４】
0005633695.tif 000005
【図５】
0005633695.tif 000006
【図６】
0005633695.tif 000007
【図７】
0005633695.tif 000008
【図８】
0005633695.tif 000009
【図９】
0005633695.tif 000010
【図１０】
0005633695.tif 000011
【図１１】
0005633695.tif 000012
【図１２】
0005633695.tif 000013
【図１３】
0005633695.tif 000014
【図１４】
0005633695.tif 000015
【図１５】
0005633695.tif 000016
【図１６】
0005633695.tif 000017
【図１７】
0005633695.tif 000018
【図１８】
0005633695.tif 000019
【図１９】
0005633695.tif 000020
【図２０】
0005633695.tif 000021
【図２１】
0005633695.tif 000022
【図２２】
0005633695.tif 000023
【図２３】
0005633695.tif 000024
【図２４】
0005633695.tif 000025
【図２５】
0005633695.tif 000026
【図２６】
0005633695.tif 000027
【図２７】
0005633695.tif 000028